(57)【特許請求の範囲】
【請求項１】
スタンパを用いて作成される情報記録媒体に情報を記録する情報記録装置であって、
主情報と、前記スタンパ毎に共通なスタンパ固有情報に基づいて、主情報を再生するために必要な再生許可情報をデータ変換した第１の副情報とが予め記録されている前記情報記録媒体毎に異なる媒体固有情報に基づいて、前記スタンパ固有情報をデータ変換することにより第２の副情報を生成する第２の副情報生成部と、
前記主情報及び前記第１の副情報とは異なる形態で、前記第２の副情報生成部によって生成された前記第２の副情報を前記情報記録媒体に記録する第２の副情報記録部とを備える情報記録装置。
【請求項２】
前記情報記録媒体は、前記主情報に従って形成された凹凸記録マークと、前記凹凸記録マーク上に形成された反射膜とを含み、
前記第２の副情報記録部は、前記凹凸記録マークの最長マークよりも長い間隔でレーザ光を照射し、前記反射膜の反射率を変化させることによって前記第２の副情報を前記情報記録媒体に記録する請求項１記載の情報記録装置。
【請求項３】
前記媒体固有情報は、前記情報記録媒体を識別するための媒体識別情報を含み、
前記情報記録媒体にレーザ光を照射し、前記反射膜の反射率を変化させることによって前記媒体識別情報を前記情報記録媒体に記録する媒体識別情報記録部をさらに備える請求項２記載の情報記録装置。
【請求項４】
前記第２の副情報生成部は、前記媒体固有情報を暗号鍵として、前記スタンパ固有情報を暗号化することにより第２の副情報を生成する請求項１〜３のいずれかに記載の情報記録装置。
【請求項５】
スタンパを複製して作成される情報記録媒体から情報を再生する情報再生装置であって、
前記情報記録媒体に形成された凹凸記録マークにレーザ光を照射し、前記凹凸記録マークからの反射光強度に基づいて主情報を再生する主情報再生部と、
前記凹凸記録マークからの前記反射光に基づいて、前記凹凸記録マークの変位、前記凹凸記録マークの変形、及び前記凹凸記録マークにより所定パターンで記録されるデータの前記パターンの改変のうちの少なくとも１つを検出することによって、スタンパ毎に共通なスタンパ固有情報に基づいて、前記主情報を再生するために必要な再生許可情報をデータ変換した第１の副情報を再生する第１の副情報再生部と、
前記凹凸記録マーク上に形成されると共に、前記凹凸記録マークの前記反射光強度より小さい反射光強度を有する反射膜の反射光の強度変化を検出することによって、前記情報記録媒体毎に異なる媒体固有情報に基づいて、前記スタンパ固有情報をデータ変換した第２の副情報を再生する第２の副情報再生部と、
前記反射膜の反射光の強度変化を検出することによって、前記媒体固有情報を再生する媒体固有情報再生部と、
前記第２の副情報再生部によって再生された前記第２の副情報と、前記媒体固有情報再生部によって再生された前記媒体固有情報から生成する相関系列との相関積分演算により、前記スタンパ固有情報を生成するスタンパ固有情報生成部と、
前記第１の副情報再生部によって再生された前記第１の副情報と、前記スタンパ固有情報生成部によって生成された前記スタンパ固有情報から生成する相関系列との相関積分演算により、前記再生許可情報を抽出する再生許可情報抽出部とを備える情報再生装置。
【請求項６】
前記媒体固有情報は、前記情報記録媒体を識別するための媒体識別情報を含み、
前記媒体固有情報再生部は、前記情報記録媒体にレーザ光を照射し、前記媒体識別情報を再生する媒体識別情報再生部を含み、
前記スタンパ固有情報生成部は、前記第２の副情報再生部によって再生された前記第２の副情報と、前記媒体識別情報再生部によって再生された前記媒体識別情報から生成する相関系列との相関積分演算により、前記スタンパ固有情報を生成する請求項５記載の情報再生装置。
【請求項７】
前記媒体識別情報再生部は、前記反射膜からの反射光の強度変化を検出することによって、前記媒体識別情報を再生する請求項６記載の情報再生装置。
【請求項８】
前記スタンパ固有情報生成部は、前記媒体固有情報を暗号鍵として、前記第２の副情報を復号化することにより、前記スタンパ固有情報を生成し、
前記再生許可情報抽出部は、前記スタンパ固有情報生成部によって生成された前記スタンパ固有情報に基づいて、スクランブルされている前記第１の副情報をデスクランブルすることにより、前記再生許可情報を抽出する請求項５〜７のいずれかに記載の情報再生装置。
【請求項９】
主情報が記録された主情報記録領域と、
スタンパ毎に共通なスタンパ固有情報に基づいて、前記主情報を再生するために必要な再生許可情報をデータ変換した第１の副情報が記録された第１の副情報記録領域と、
情報記録媒体毎に異なる媒体固有情報に基づいて、前記スタンパ固有情報をデータ変換した第２の副情報が記録された第２の副情報記録領域とを備え、
前記主情報と前記第１の副情報とは、前記スタンパからの転写によって形成された情報記録媒体。
【請求項１０】
前記第１の副情報記録領域は、前記主情報とは異なる形態で前記第１の副情報を記録しており、
前記第２の副情報記録領域は、前記主情報及び前記第１の副情報とは異なる形態で前記第２の副情報を記録している請求項９記載の情報記録媒体。
【請求項１１】
前記情報記録媒体は、前記主情報に従って形成された凹凸記録マークと、前記凹凸記録マーク上に形成された反射膜とを含み、
前記第１の副情報記録領域は、前記凹凸記録マークの変位、前記凹凸記録マークの変形、及び前記凹凸記録マークにより所定パターンで記録されるデータの前記パターンの改変のうちの少なくとも１つによって前記第１の副情報を記録しており、
前記第２の副情報記録領域は、前記反射膜の反射率を変化させることによって前記第２の副情報を記録している請求項１０記載の情報記録媒体。
【請求項１２】
前記媒体固有情報は、前記情報記録媒体を識別するための媒体識別情報を含み、
前記媒体識別情報を記録している媒体識別情報記録領域をさらに備え、
前記第２の副情報記録領域は、前記スタンパ固有情報を、前記媒体識別情報に基づいてデータ変換した第２の副情報を記録している請求項１１記載の情報記録媒体。
【請求項１３】
前記媒体識別情報記録領域は、前記情報記録媒体にレーザ光が照射され、前記反射膜の反射率を変化させることによって前記媒体識別情報を記録している請求項１２記載の情報記録媒体。
【発明の詳細な説明】
【技術分野】
【０００１】
本発明は、スタンパを用いて作成される情報記録媒体に情報を記録する情報記録装置、スタンパを用いて作成される情報記録媒体から情報を再生する情報再生装置、及びスタンパを用いて作成される情報記録媒体に関するものである。
【背景技術】
【０００２】
例えば、特許文献１には、情報記録媒体毎にユニークな媒体識別情報と、媒体識別情報を一方向性関数で演算した演算値とを記録している情報記録媒体が開示されている。
【０００３】
特許文献１の発明では、情報記録媒体に情報を記録する情報記録装置と、情報記録媒体から情報を再生する情報再生装置とは、それぞれ同一の一方向性関数生成手段を有している。情報記録装置は、情報記録媒体毎に異なる媒体識別情報を、一方向性関数生成手段によって生成された一方向性関数で演算した第１の演算値を情報記録媒体に記録する。情報再生装置は、情報記録媒体から媒体識別情報を再生し、再生した媒体識別情報を、一方向性関数生成手段によって生成された一方向性関数で演算した第２の演算値と、情報記録媒体に記録されている第１の演算値とを比較し、一致している場合にのみ情報記録媒体に記録されているコンテンツ情報を再生する。
【０００４】
また、例えば、特許文献２には、コンテンツ情報を記録する情報記録媒体毎に固有のメディア識別子と、コンテンツ情報毎に固有のコンテンツ識別子とを記録する情報記録媒体が開示されている。
【０００５】
特許文献２の発明では、情報記録媒体に情報を記録する情報記録装置は、メディア識別子とコンテンツ識別子とに基づいて個別化鍵を生成し、コンテンツ情報を暗号化するために用いられたコンテンツ鍵を、個別化鍵を用いて暗号化し、暗号化コンテンツ鍵を生成し、コンテンツ鍵を用いて暗号化したコンテンツ情報と、コンテンツ識別子と、暗号化コンテンツ鍵とを情報記録媒体に記録する。また、情報記録媒体から情報を再生する情報再生装置は、情報記録媒体からコンテンツ情報とメディア識別子とコンテンツ識別子とコンテンツ鍵とを読み出し、読み出したメディア識別子とコンテンツ識別子とに基づいて個別化鍵を生成し、暗号化されているコンテンツ鍵を、生成した個別化鍵を用いて復号し、暗号化されているコンテンツ情報を、復号したコンテンツ鍵を用いて復号する。
【先行技術文献】
【特許文献】
【０００６】
【特許文献１】特開２００２−７４８３３号公報
【特許文献２】特開２００４−２８２２３８号公報
【発明の概要】
【発明が解決しようとする課題】
【０００７】
しかしながら、特許文献１では、情報記録媒体から読み出した、媒体識別情報を一方向性関数で予め演算した第１の演算値と、情報記録媒体から読み出した媒体識別情報を一方向性関数で演算した第２の演算値とを比較し、第１の演算値と第２の演算値とが一致していればコンテンツ情報の再生を認めるものである。そのため、悪意ある情報再生装置製造メーカが製造した、第１の演算値と第２の演算値との一致判定を無視する構成の情報再生装置では、第１の演算値と第２の演算値とが一致しなかったとしても、コンテンツデータの再生が可能になってしまうという問題がある。
【０００８】
また、スタンパで複製して製造されるＲＯＭ型の情報記録媒体では、通常、コンテンツデータもスタンパから複製されて製造され、コンテンツ情報も言わばスタンパ毎に共通の情報である。特許文献１では、情報記録媒体に記録されている媒体識別情報は媒体毎に異なる情報であり、媒体識別情報の演算値も媒体毎に異なる情報ということになる。従って、スタンパ毎に共通でなくてはならないコンテンツデータを、媒体毎に異なる媒体識別情報でデータ変換して記録することはできない。よって、特許文献１では、情報再生装置において媒体識別情報の演算値の一致判定を行ってコンテンツ情報の出力を制御することで、著作権を保護するしかない。
【０００９】
また、特許文献２では、情報記録媒体毎に異なるメディア識別子と、コンテンツ識別子とに基づいてコンテンツ情報を記録する構成である。特許文献２では、媒体１枚毎に固有の暗号鍵で暗号化して記録できる記録型情報記録媒体を想定している。なぜなら、メディア識別子が情報記録媒体毎に異なる情報であり、コンテンツ識別子がスタンパ毎に共通の情報であるとき、メディア識別子とコンテンツ識別子とから生成される個別化鍵は情報記録媒体毎に異なる情報となる。特許文献２には個別化鍵の具体的な記録方法について開示されていないため、特許文献２で用いられる情報記録媒体は、通常の記録方法で記録する記録型情報記録媒体であると想定できる。従って、スタンパからの複製で製造するＲＯＭ型情報記録媒体では、スタンパ毎に個別化鍵が記録されるので、スタンパ毎に１枚の光ディスクしか製造できないことになり、ＲＯＭ型情報記録媒体に特許文献２に開示された発明を適用することは極めて非効率であり、実現性がない。
【００１０】
以上のように、従来の発明を考慮すると、図３１のような情報記録再生システムで表される。図３１は、従来の情報記録再生システムの構成を示すブロック図である。図３１に示す情報記録再生システムは、マスタリング装置４０１、情報記録装置４０２及び情報再生装置４０３から構成されている。
【００１１】
マスタリング装置４０１は、コンテンツ暗号化部４０５、変調部４０６及び鍵情報スクランブル部４０７で構成される。
【００１２】
コンテンツ暗号化部４０５は、情報記録媒体４０４に記録するコンテンツ情報をコンテンツ暗号鍵で暗号化する。
【００１３】
変調部４０６は、暗号化されたコンテンツ情報を情報記録媒体（スタンパ）４０４の種別に応じた変調フォーマットに変調して、情報記録媒体４０４のユーザデータ領域４１１に記録する。
【００１４】
鍵情報スクランブル部４０７は、コンテンツ情報を暗号化するためのコンテンツ暗号鍵を装置内部に秘密に持つマスター鍵などでスクランブルして、情報記録媒体（スタンパ）４０４の第１の副情報記録領域４１０に記録する。
【００１５】
情報記録装置４０２は、マスタリング装置４０１で作成されたスタンパを複写することによって複数の情報記録媒体を製造し、その情報記録媒体１枚毎に固有のディスク固有情報を生成する。情報記録装置４０２は、固有情報記録部４０８を備える。固有情報記録部４０８は、ディスク固有情報を第２の副情報として情報記録媒体４０４の第２の副情報記録領域４０９に記録する。
【００１６】
また、情報再生装置４０３は、固有情報再生部４１２、固有情報検証部４１３、鍵情報デスクランブル部４１４、復調部４１５、コンテンツ復号化部４１６及びコンテンツ出力スイッチ４１７から構成される。
【００１７】
固有情報再生部４１２は、情報記録媒体４０４の第２の副情報記録領域４０９から情報記録媒体毎に異なるディスク固有情報を再生する。固有情報検証部４１３は、再生されたディスク固有情報が正当な情報であるかを検証する。
【００１８】
鍵情報デスクランブル部４１４は、情報記録媒体４０４の第１の副情報記録領域４１０からスタンパ毎に共通のスクランブルされたコンテンツ暗号鍵を読み出し、内部に秘密に記憶するマスター鍵などを用いて、スクランブルされたコンテンツ暗号鍵をデスクランブルする。
【００１９】
復調部４１５は、マスタリング装置４０１の変調部４０６に対応した部分であり、情報記録媒体４０４の種別に応じて、ユーザデータ領域４１１に記録されているコンテンツ情報を復調する。
【００２０】
コンテンツ復号化部４１６は、情報記録媒体４０４のユーザデータ領域４１１から読み出した暗号化されたコンテンツ情報を、鍵情報デスクランブル部４１４で抽出したコンテンツ暗号鍵で復号化する。
【００２１】
コンテンツ出力スイッチ４１７は、固有情報検証部４１３の検証結果に応じてコンテンツ情報の再生を制御する。すなわち、コンテンツ出力スイッチ４１７は、固有情報検証部４１３によって不正な情報記録媒体であると判断された場合、復号化されたコンテンツ情報を出力せず、固有情報検証部４１３によって正当な情報記録媒体であると判断された場合、復号化されたコンテンツ情報を出力する。これにより、例えば、第２の副情報であるディスク固有情報が記録されていなかったり、不正な情報が記録されている不正な情報記録媒体が使用されている場合、コンテンツ情報は再生されない。そのため、コンテンツ情報などの著作物の著作権保護を確立することができる。
【００２２】
しかしながら、上記の構成では、コンテンツ出力スイッチ４１７を常にコンテンツ出力状態に実装した不正な情報再生装置の出現によって著作権保護を確立することが不可能となる。
【００２３】
情報記録媒体４０４のユーザデータ領域４１１と第１の副情報記録領域４１０とは、スタンパからの複製によって作成される。従って、これらの領域は、悪意ある者からの複製が困難とはいいがたい。従って、コンテンツ情報及びコンテンツ暗号鍵が不正に複製され、第２の副情報記録領域４０９のディスク固有情報が存在しない不正な情報記録媒体４０４が出現する可能性がある。
【００２５】
従って、第２の副情報（ディスク固有情報）が存在しない不正な情報記録媒体と、コンテンツ出力スイッチ４１７のない不正な情報再生装置との組み合わせによって、コンテンツ情報を不正に再生又は複製することが可能となる。
【００２６】
本発明は、上記の問題を解決するためになされたもので、主情報の著作権を確実に保護することができ、記録されている主情報への不正なアクセスを防止することができる情報記録装置、情報再生装置及び情報記録媒体を提供することを目的とするものである。
【課題を解決するための手段】
【００２７】
本発明の一局面に係る情報記録装置は、スタンパを用いて作成される情報記録媒体に情報を記録する情報記録装置であって、主情報と、前記スタンパ毎に共通なスタンパ固有情報に基づいて、主情報を再生するために必要な再生許可情報をデータ変換した第１の副情報とが予め記録されている前記情報記録媒体毎に異なる媒体固有情報に基づいて、スタンパ毎に共通なスタンパ固有情報をデータ変換することにより第２の副情報を生成する第２の副情報生成部と、前記主情報及び前記第１の副情報とは異なる形態で、前記第２の副情報生成部によって生成された前記第２の副情報を前記情報記録媒体に記録する第２の副情報記録部とを備える。
【００２８】
この構成によれば、主情報と、スタンパ固有情報に基づいて、主情報を再生するために必要な再生許可情報をデータ変換した第１の副情報とが予め記録されている情報記録媒体毎に異なる媒体固有情報に基づいて、スタンパ毎に共通なスタンパ固有情報をデータ変換することにより第２の副情報が生成される。そして、主情報及び第１の副情報とは異なる形態で、生成された第２の副情報が情報記録媒体に記録される。
【発明の効果】
【００２９】
本発明によれば、情報記録媒体毎に異なる第２の副情報が再生されなければ、主情報を再生することができないので、主情報の著作権を確実に保護することができる。また、同一のスタンパから転写された情報記録媒体であっても、情報記録媒体毎に異なる第２の副情報を読み出す必要があり、情報記録媒体毎に共通の情報を読み出す場合に比べて、情報記録媒体の不正な解析が困難となり、記録されている主情報への不正なアクセスを防止することができる。
【図面の簡単な説明】
【００３０】
【図１】本発明の実施の形態１における情報記録再生システムの構成を示すブロック図である。
【図２】本発明の実施の形態１における情報記録装置の構成を示す図である。
【図３】本発明の実施の形態１における情報再生装置の構成を示す図である。
【図４】本発明の実施の形態１における情報記録媒体の構成を示す図である。
【図５】本発明の実施の形態１における情報記録媒体の構成を示す外観図である。
【図６】本発明の実施の形態１における情報記録媒体の主情報記録領域の情報記録面を拡大した概念図である。
【図７】（Ａ）は、第１の副情報が記録されていない場合の主情報記録領域のセクタフォーマットを示す図であり、（Ｂ）は、第１の副情報が記録されている場合の主情報記録領域のセクタフォーマットを示す図である。
【図８】本発明の実施の形態１の情報記録媒体を製造するための手順を説明するための図である。
【図９】本発明の実施の形態１の情報記録媒体を製造する製造装置の特徴的な構成を示すブロック図である。
【図１０】本発明の実施の形態１の光ディスクの内周部分に記録される、第２の副情報と暗号化されたディスク識別情報とのデータフォーマットの一例を示す図である。
【図１１】図９の製造装置によって作成された光ディスクからコンテンツ情報を再生する情報再生装置の特徴的な構成を示すブロック図である。
【図１２】図９における第１の副情報記録部の詳細な構成を示すブロック図である。
【図１３】図１１における第１の副情報検出部の詳細な構成を示すブロック図である。
【図１４】本発明の実施の形態２における情報記録再生システムの構成を示すブロック図である。
【図１５】本発明の実施の形態２のスタンパ固有情報のデータフォーマットの一例を示す概念図である。
【図１６】本発明の実施の形態２の情報記録媒体を製造する製造装置の特徴的な構成を示すブロック図である。
【図１７】本発明の実施の形態２の第２の副情報のデータ構造の一例を示す図である。
【図１８】図１６の製造装置によって作成された光ディスクからコンテンツ情報を再生する情報再生装置の特徴的な構成を示すブロック図である。
【図１９】（Ａ）は、アドレス情報と初期値情報との組み合わせを表す第１のテーブル情報を示す図であり、（Ｂ）は、各テーブルノードを暗号化するための暗号鍵を表す第２のテーブル情報を示す図である。
【図２０】本発明の実施の形態３の情報記録媒体を製造する製造装置の特徴的な構成を示すブロック図である。
【図２１】図２０の製造装置によって作成された光ディスクからコンテンツ情報を再生する情報再生装置の特徴的な構成を示すブロック図である。
【図２２】本発明の実施の形態４における情報記録再生システムの構成を示すブロック図である。
【図２３】本発明の実施の形態４に係る副情報管理情報の一例を示す図である。
【図２４】本発明の実施の形態４における光ディスクの記録領域を示す概念図である。
【図２５】主情報、第１の副情報及び第２の副情報の光ディスクにおける記録フォーマットを示す図である。
【図２６】本発明の実施の形態４に係る光ディスクの構造を示す概念図である。
【図２７】本発明の実施の形態４における第２の副情報記録装置の構成を示すブロック図である。
【図２８】本発明の実施の形態４における第１の副情報記録装置の構成を示すブロック図である。
【図２９】本発明の実施の形態４における第２の副情報再生装置の構成を示すブロック図である。
【図３０】本発明の実施の形態４における第１の副情報再生装置の構成を示すブロック図である。
【図３１】従来の情報記録再生システムの構成を示すブロック図である。
【発明を実施するための形態】
【００３１】
以下本発明の実施の形態について、図面を参照しながら説明する。尚、以下の実施の形態は、本発明を具体化した一例であって、本発明の技術的範囲を限定する性格のものではない。
【００３２】
（実施の形態１）
図１は、本発明の実施の形態１における情報記録再生システムの構成を示すブロック図である。本実施の形態１では、情報記録媒体が再生専用の光ディスクであるものとして説明する。しかしながら、本発明の情報記録媒体は、光ディスクに限られない。光ディスクのスタンパのように原盤媒体から複数の情報記録媒体に複製して作成する情報記録媒体はすべて本発明の範疇である。
【００３３】
本実施の形態１の情報記録再生システムは、スタンパ１’を作成するマスタリング装置２、スタンパ１’を複製して製造した光ディスク１に第２の副情報を記録する情報記録装置３、及び光ディスク１から情報を再生する情報再生装置４で構成される。なお、情報記録再生システムは、マスタリング装置２によって作成されたスタンパ１’から光ディスクを複製するデュプリケーション装置を備えるが、図１では省略している。
【００３４】
マスタリング装置２は、ガラスの光ディスク原盤にコンテンツ情報と第１の副情報とを記録してスタンパ１’を作成する。マスタリング装置２は、暗号化部５、スクランブル部７、主情報記録部３５及び第１の副情報記録部３６から構成される。
【００３５】
暗号化部５は、スタンパ１’に記録するコンテンツ情報を暗号鍵に基づいて暗号化する。主情報記録部３５は、暗号化部５によって暗号化されたコンテンツ情報を主情報としてスタンパ１’に記録する。主情報記録部３５は、光ディスク原盤にレーザ光を照射し、光ディスク原盤上に凹凸記録マークを形成することによって、スタンパ１’を製造する。
【００３６】
主情報は、凹凸記録マークによりスタンパ１’のユーザデータ領域６’に記録される。よって、光ディスク１に記録される主情報としてのコンテンツ情報は、暗号鍵で暗号化されて記録される。したがって、暗号鍵は、コンテンツ情報を再生するために必要な情報であるといえる。また、暗号鍵が再生できなければコンテンツ情報は再生できない。したがって、暗号鍵は、コンテンツ情報の再生を許可する再生許可情報であるといえる。
【００３７】
スクランブル部７は、コンテンツ情報の再生に必要な情報として、コンテンツ情報の暗号化に用いた暗号鍵を、スタンパ毎に共通のスタンパ固有情報によって暗号化する。第１の副情報記録部３６は、スタンパ固有情報を用いて暗号化した暗号鍵を第１の副情報として、スタンパ１’の第１の副情報記録領域８’に記録する。
【００３８】
第１の副情報記録領域８’は、主情報を記録するときにフレーム単位に付与されるフレームシンク（同期符号）を記録するための記録領域である。本実施の形態１の第１の副情報記録部３６は、主情報を記録するときに一定間隔毎のフレーム単位で付与されるフレームシンクのパターンを第１の副情報に基づいて改変することにより、第１の副情報を記録する。主情報の再生時には、コンテンツ情報に必要のないフレームシンクは削除されて再生されるため、再生データをそのまま複製しても第１の副情報が複製されることはない。そのため、第１の副情報の記録方法は、不正な複製に対して耐性のある情報の記録方法である。
【００３９】
以上のような構成によって、本実施の形態１のマスタリング装置２は、スタンパ毎に共通な主情報として、暗号鍵を用いて暗号化したコンテンツ情報を生成するとともに、スタンパ毎に共通な第１の副情報として、スタンパ毎に共通のスタンパ固有情報を用いてスクランブルした暗号鍵を生成する。そして、マスタリング装置２は、ユーザデータ領域６’に凹凸記録マークを形成することによって主情報を記録し、主情報の一定間隔毎に付与されるフレームシンクのパターンを改変することによって第１の副情報を記録する。
【００４０】
従って、ユーザデータ領域６’及び第１の副情報記録領域８’は、スタンパ毎に共通であり、スタンパ１’を複製することによって複数の情報記録媒体（光ディスク）を製造することができる。なお、スタンパ１’のユーザデータ領域６’及び第１の副情報記録領域８’に記録された主情報及び第１の副情報は、光ディスク１のユーザデータ領域６及び第１の副情報記録領域８に転写される。
【００４１】
本実施の形態１の情報記録装置３は、マスタリング装置２で作成したスタンパ１’から複製した情報記録媒体１枚毎に異なる第２の副情報（媒体固有情報）を記録する。情報記録装置３は、媒体固有情報生成部９、媒体固有情報記録部１０及び媒体識別情報記録部１１から構成される。
【００４２】
媒体固有情報生成部９は、マスタリング装置２で暗号鍵をスクランブルするときに用いたスタンパ固有情報と同一であり、スタンパ毎に異なる情報であるスタンパ固有情報を、スタンパから複製されて作成される情報記録媒体（光ディスク）１を識別するためのディスク識別情報に基づいて変調し、媒体毎に異なる第２の副情報を生成する。
【００４３】
本実施の形態１では、第２の副情報は、スタンパ固有情報がディスク識別情報でスクランブル変調されることにより生成される。例えば、互いの情報の排他的論理和を算出したり、暗号化したりすることによって第２の副情報が生成される。
【００４４】
媒体固有情報記録部１０は、生成した媒体毎に異なる第２の副情報を光ディスク１に記録する。光ディスク１は、スタンパ１’から凹凸記録マークが複製され、凹凸記録マークの上に反射膜と保護膜とが形成されることによって作成される。
【００４５】
本実施の形態１の媒体固有情報記録部１０は、光ディスクにおいて一般的なＢＣＡ（Ｂｕｒｓｔ  Ｃｕｔｔｉｎｇ  Ａｒｅａ）に第２の副情報を記録する。ＢＣＡは、情報記録媒体（光ディスク）の内周部分において、ディスクの半径方向に長いバーコード状に、レーザ光を照射することによって反射膜を除去した領域である。媒体固有情報記録部１０は、反射膜の反射率及び反射光強度を変化させたバーコードマークを形成することによって光ディスク毎に異なる第２の副情報を記録する。本実施の形態１では、ＢＣＡに情報を記録する手法を用いて、生成した第２の副情報を光ディスク１の内周部分のＢＣＡに記録する。
【００４６】
媒体識別情報記録部１１は、媒体毎に異なる第２の副情報を生成するときに用いたディスク識別情報を光ディスク１に記録する。媒体識別情報記録部１１は、媒体固有情報記録部１０と同様に、ディスク識別情報に基づいて生成したバーコードマークを光ディスク１のＢＣＡに記録する。
【００４７】
なお、バーコードマークの円周方向の記録帯域は、主情報を記録する凹凸記録マークの記録帯域外に設定する。理想的には、バーコードマークの記録帯域は、凹凸記録マークの記録帯域のうち最も低い帯域の２分の１以下の帯域であることが望ましい。なぜならば、バーコードマークを再生する場合、バーコードマークの下地に記録されている凹凸記録マーク成分とバーコードマーク成分とを周波数帯で分離しやすく、バーコードマークの読み出しの信頼性を高くすることができるからである。一方、バーコードマークの記録帯域と凹凸記録マークの記録帯域とが接近している場合、読み取り信号における凹凸記録マーク成分とバーコードマーク成分とを周波数帯で分離することが困難となり、結果的に、バーコードマークの読み出しの信頼性を低下させてしまう。
【００４８】
以上のような構成によって、本実施の形態１の情報記録装置３では、媒体毎に異なる第２の副情報と、媒体毎に異なるディスク識別情報とが、ともにバーコードマークとしてディスクの内周部分のＢＣＡに記録される。ＢＣＡには、高出力のＹａＧレーザなどを用いて光ディスク上の金属膜である反射膜が除去されることにより、第２の副情報及びディスク識別情報が記録される。また、バーコードマークは、下地に記録されている凹凸記録マークと周波数帯を分離して記録される。そのため、ＹａＧレーザのレーザ照射は、凹凸記録マークの記録帯域外に設定することが望ましく、より理想的には、凹凸記録マークの記録帯域のうち最も低い帯域の２分の１以下の帯域に設定することが望ましい。
【００４９】
これによって、凹凸記録マークと周波数帯で分離可能なバーコードマークを記録することが可能となり、バーコードマークの読み出しの信頼性が向上する。従って、一般的な情報記録媒体の情報記録装置では、このようなバーコード情報を複製することが不可能となり、第２の副情報は複製困難な情報として記録される。また、情報記録装置３は、スタンパから複製されて作成される光ディスク１枚毎に異なる情報を記録することができる。ディスク１枚毎に異なる情報とは、媒体毎に固有の情報としてもよいし、複数枚単位で固有の情報としてもよく、必ずしもディスク１枚毎に固有に設定すべき情報ではない。
【００５０】
以上のマスタリング装置２によって作成されたスタンパ１’から複製して作成した光ディスク１は、ユーザデータ領域６と、第１の副情報記録領域８と、第２の副情報記録領域１２と、媒体識別情報記録領域２０とを有する。
【００５１】
ユーザデータ領域６は、暗号化されたコンテンツ情報が主情報として凹凸記録マークにより記録されている。第１の副情報記録領域８は、主情報の一定間隔毎のフレーム単位に付与されているフレーム同期に必要なフレームシンクのパターンが意図的に通常のパターンから改変されることによって、スクランブルされた暗号鍵が、スタンパ毎に共通の第１の副情報として記録されている。
【００５２】
第２の副情報記録領域１２は、ディスク識別情報によって変調されたスタンパ固有情報が、スタンパからスタンプして作成された光ディスク毎に異なる第２の副情報として、ディスクの内周部分のバーコードマークにより記録されている。媒体識別情報記録領域２０は、光ディスク１を識別するためのディスク識別情報が、ディスクの内周部分のバーコードマークにより記録されている。
【００５３】
情報再生装置４は、光ディスク１から、主情報、第１の副情報及び第２の副情報を再生する。情報再生装置４は、媒体識別情報再生部１３、媒体固有情報再生部１４、スタンパ固有情報生成部１５、第１の副情報再生部１６、データ変換部１７、復号化部１８及び主情報再生部１９で構成される。
【００５４】
媒体識別情報再生部１３は、光ディスク１のＢＣＡに記録されているバーコードマークから光ディスク１のディスク識別情報を再生する。
【００５５】
媒体固有情報再生部１４は、媒体識別情報再生部１３と同様、光ディスク１のＢＣＡに記録されているバーコードマークから光ディスク毎に異なる第２の副情報を再生する。
【００５６】
スタンパ固有情報生成部１５は、情報記録装置３の媒体固有情報生成部９に対応した部分であり、媒体固有情報生成部９の処理の逆変換処理を実施する。従って、媒体固有情報生成部９がスタンパ固有情報をディスク識別情報で暗号化した場合、第２の副情報は暗号化されたスタンパ固有情報である。この場合、スタンパ固有情報生成部１５は、媒体識別情報再生部１３で再生したディスク識別情報で第２の副情報を復号化して、スタンパ固有情報を抽出する。
【００５７】
一方、媒体固有情報生成部９がスタンパ固有情報とディスク識別情報との排他的論理和を求めるスクランブルを行った場合、第２の副情報は、スタンパ固有情報とディスク識別情報との排他的論理和演算値である。この場合、スタンパ固有情報生成部１５は、媒体識別情報再生部１３で再生したディスク識別情報と、媒体固有情報再生部１４で再生した第２の副情報との排他的論理和を求めるデスクランブルを行い、スタンパ固有情報を抽出する。
【００５８】
第１の副情報再生部１６は、光ディスク１の主情報が記録されている凹凸記録マークを再生して、主情報の一定間隔毎のフレームに付与されているフレームシンクのパターンが通常のパターンから改変されているかどうかを判定する。第１の副情報再生部１６は、フレームシンクのパターンが通常のパターンから改変されている場合、改変されているパターンに基づいて第１の副情報を検出する。
【００５９】
データ変換部１７は、マスタリング装置２のスクランブル部７に対応した部分であり、スクランブル部７の処理の逆変換処理を実施する。スクランブル部７が暗号鍵をスタンパ固有情報にて暗号化している場合、第１の副情報は暗号化された暗号鍵情報である。この場合、データ変換部１７は、スタンパ固有情報生成部１５で生成したスタンパ固有情報で第１の副情報を復号化して、コンテンツ情報（主情報）の暗号鍵を抽出する。
【００６０】
一方、スクランブル部７が、暗号鍵とスタンパ固有情報との排他的論理和演算を求めるスクランブルを行った場合、第１の副情報は、暗号鍵とスタンパ固有情報との排他的論理和演算値である。この場合、データ変換部１７は、第１の副情報再生部１６で再生した第１の副情報と、スタンパ固有情報生成部１５で生成したスタンパ固有情報との排他的論理和を求めるデスクランブルを行い、暗号鍵を抽出する。
【００６１】
主情報再生部１９は、光ディスク１のユーザデータ領域６に記録されている凹凸記録マークを再生することにより、主情報（暗号化されたコンテンツ情報）を再生する。
【００６２】
復号化部１８は、主情報再生部１９によって再生された主情報（暗号化されたコンテンツ情報）を、データ変換部１７で抽出した暗号鍵を用いて復号化し、復号化されたコンテンツ情報を出力する。
【００６３】
なお、本実施の形態１において、情報記録装置３が情報記録装置の一例に相当し、媒体固有情報生成部９が第２の副情報生成部の一例に相当し、媒体固有情報記録部１０が第２の副情報記録部の一例に相当し、媒体識別情報記録部１１が媒体識別情報記録部の一例に相当する。
【００６４】
また、情報再生装置４が情報再生装置の一例に相当し、主情報再生部１９が主情報再生部の一例に相当し、第１の副情報再生部１６が第１の副情報再生部の一例に相当し、媒体固有情報再生部１４が２の副情報再生部の一例に相当し、スタンパ固有情報生成部１５がスタンパ固有情報生成部の一例に相当し、データ変換部１７が再生許可情報抽出部の一例に相当し、媒体識別情報再生部１３が媒体識別情報再生部の一例に相当する。
【００６５】
さらに、光ディスク１が情報記録媒体の一例に相当し、ユーザデータ領域６が主情報記録領域の一例に相当し、第１の副情報記録領域８が第１の副情報記録領域の一例に相当し、第２の副情報記録領域１２が第２の副情報記録領域の一例に相当し、媒体識別情報記録領域２０が媒体識別情報記録領域の一例に相当する。
【００６６】
以上の構成により、スタンパ毎に共通の第１の副情報と、媒体毎に異なる第２の副情報との両方を正常に検出できないと、コンテンツ情報の暗号を解くための暗号鍵を生成することが不可能である。情報再生装置４は、ライセンスを受けないと製造できないスタンパ固有情報生成部１５及びデータ変換部１７が必要となり、第１の副情報と第２の副情報とを知らないメーカが、不正な情報再生装置を製造することは極めて困難となる。
【００６７】
また、本実施の形態１では、フレーム毎のフレームシンクパターンを改変することによって第１の副情報を記録する方法について説明した。この方法では、情報再生装置４から出力される再生信号には、コンテンツ情報を表す信号しか含まれないため、第１の副情報は情報再生装置４の外に出力されることはない。従って、第１の副情報は、一般的な情報記録媒体の情報記録装置では、容易に複製できる情報ではないので、コンテンツ情報の著作権の保護を強化することができる。
【００６８】
また、本実施の形態１では、ＢＣＡにバーコードマークを形成することによって第２の副情報を記録する方法について説明した。バーコードマークは、ＹａＧレーザ光などの高出力のレーザ光を反射膜に照射して反射膜を除去して形成される。そのため、第１の副情報と同様に通常の情報記録装置で複製することは極めて困難であり、コンテンツ情報の著作権の保護を強化することができる。
【００６９】
また、従来の情報記録媒体では、媒体毎に異なるディスク識別情報を記録する方法は開示されていたが、暗号鍵情報はスタンパ固有の情報を使用しており、１枚の情報記録媒体から暗号鍵が漏れれば、同じスタンパで作成された他の情報記録媒体の暗号が不正に解かれてしまうという課題があった。
【００７０】
しかしながら、本実施の形態１では、例えスタンパで複製されるＲＯＭ型情報記録媒体であっても、当該情報記録媒体は、媒体毎に異なる第２の副情報を記録しており、第２の副情報が再生されなければコンテンツ情報を再生することは不可能である。悪意ある第３者が情報記録媒体を解析しようとしても、媒体毎に異なる情報が読み出される。そのため、たとえ１枚の情報記録媒体のディスク識別情報がハッキングされても、ハッキングしたディスク識別情報に基づいて異なる情報記録媒体に記録されているコンテンツ情報の再生を行うことはできないので、ハッキングに対する耐性も向上させることができる。
【００７１】
図２は、本発明の実施の形態１における情報記録装置の構成を示す図である。
【００７２】
図２に示す情報記録装置３は、媒体固有情報生成部９、媒体固有情報記録部１０及び媒体識別情報記録部１１を備える。
【００７３】
情報記録装置３は、スタンパ１’を用いて作成される光ディスク（情報記録媒体）１に情報を記録する。光ディスク１は、主情報を予め記録するとともに、スタンパ毎に共通なスタンパ固有情報に基づいて、主情報を再生するために必要な暗号鍵情報（再生許可情報）をデータ変換した第１の副情報を、主情報とは異なる形態で予め記録している。
【００７４】
また、光ディスク１は、主情報に従って形成された凹凸記録マークと、凹凸記録マーク上に形成された反射膜とを含む。光ディスク１は、主情報に従って形成された凹凸記録マークがスタンパ１’から転写された後、スタンパ１’から転写された凹凸記録マーク上に反射膜が形成されることによって作成される。
【００７５】
媒体固有情報生成部９は、主情報と、スタンパ固有情報に基づいて、主情報を再生するために必要な暗号鍵情報（再生許可情報）をデータ変換した第１の副情報とが予め記録されている光ディスク毎に異なるディスク識別情報（媒体固有情報）に基づいて、スタンパ毎に共通なスタンパ固有情報をデータ変換することにより第２の副情報を生成する。
【００７６】
また、媒体固有情報生成部９は、ディスク識別情報を暗号鍵として、スタンパ固有情報を暗号化することにより第２の副情報を生成する。
【００７７】
媒体固有情報記録部１０は、主情報及び第１の副情報とは異なる形態で、媒体固有情報生成部９によって生成された第２の副情報を光ディスク１に記録する。また、媒体固有情報記録部１０は、凹凸記録マークの最長マークよりも長い間隔でレーザ光を照射し、反射膜の反射率を変化させることによって第２の副情報を光ディスク１に記録する。
【００７８】
媒体識別情報記録部１１は、光ディスク１にレーザ光を照射し、反射膜の反射率を変化させることによって、情報記録媒体を識別するためのディスク識別情報（媒体識別情報）を光ディスク１に記録する。
【００７９】
このように、主情報と、スタンパ固有情報に基づいて、主情報を再生するために必要な暗号鍵情報（再生許可情報）をデータ変換した第１の副情報とが予め記録されている光ディスク毎に異なるディスク識別情報（媒体固有情報）に基づいて、スタンパ毎に共通なスタンパ固有情報をデータ変換することにより第２の副情報が生成される。そして、主情報及び第１の副情報とは異なる形態で、生成された第２の副情報が光ディスク１に記録される。
【００８０】
したがって、本発明の情報記録装置によれば、光ディスク毎に異なる第２の副情報が再生されなければ、主情報を再生することができないので、主情報の著作権を確実に保護することができる。また、同一のスタンパ１’から転写された光ディスク１であっても、光ディスク毎に異なる第２の副情報を読み出す必要があり、光ディスク毎に共通の情報を読み出す場合に比べて、光ディスク１の不正な解析が困難となり、記録されている主情報への不正なアクセスを防止することができる。
【００８１】
図３は、本発明の実施の形態１における情報再生装置の構成を示す図である。
【００８２】
図３に示す情報再生装置４は、媒体識別情報再生部１３、媒体固有情報再生部１４、スタンパ固有情報生成部１５、第１の副情報再生部１６、データ変換部１７、復号化部１８及び主情報再生部１９を備える。
【００８３】
情報再生装置４は、スタンパ１’を用いて作成される光ディスク１から情報を再生する。光ディスク１は、主情報に従って形成された凹凸記録マークがスタンパ１’から転写された後、スタンパ１’から転写された凹凸記録マーク上に反射膜が形成され、光ディスク毎に、第２の副情報が追記されることによって作成される。
【００８４】
媒体識別情報再生部１３は、光ディスク１にレーザ光を照射し、光ディスク１を識別するためのディスク識別情報（媒体識別情報）を再生する。また、媒体識別情報再生部１３は、反射膜からの反射光の強度変化を検出することによって、ディスク識別情報を再生する。
【００８５】
主情報再生部１９は、光ディスク１に形成された凹凸記録マークにレーザ光を照射し、凹凸記録マークからの反射光に基づいて主情報を再生する。
【００８６】
第１の副情報再生部１６は、スタンパ毎に共通なスタンパ固有情報に基づいて、主情報を再生するために必要な暗号鍵情報（再生許可情報）をデータ変換した第１の副情報を再生する。また、第１の副情報再生部１６は、凹凸記録マークからの反射光に基づいて、凹凸記録マークの変位、凹凸記録マークの変形、及び凹凸記録マークにより所定パターンで記録されるデータの当該パターンの改変のうちの少なくとも１つを検出することによって、第１の副情報を再生する。
【００８７】
媒体固有情報再生部１４は、光ディスク毎に異なるディスク識別情報（媒体固有情報）に基づいて、スタンパ固有情報をデータ変換した第２の副情報を再生する。また、媒体固有情報再生部１４は、反射膜からの反射光の強度変化を検出することによって、第２の副情報を再生する。
【００８８】
スタンパ固有情報生成部１５は、ディスク識別情報に基づいて、媒体固有情報再生部１４によって再生された第２の副情報をデータ変換することにより、スタンパ固有情報を生成する。また、スタンパ固有情報生成部１５は、媒体識別情報再生部１３によって再生されたディスク識別情報に基づいて、媒体固有情報再生部１４によって再生された第２の副情報をデータ変換することにより、スタンパ固有情報を生成する。また、スタンパ固有情報生成部１５は、ディスク識別情報を暗号鍵として、第２の副情報を復号化することにより、スタンパ固有情報を生成する。
【００８９】
データ変換部１７は、スタンパ固有情報生成部１５によって生成されたスタンパ固有情報に基づいて、第１の副情報再生部１６によって再生された第１の副情報をデータ変換することにより、暗号鍵情報を抽出する。また、データ変換部１７は、スクランブルされている第１の副情報を、スタンパ固有情報生成部１５によって生成されたスタンパ固有情報に基づいてデスクランブルすることにより、暗号鍵情報を抽出する。
【００９０】
復号化部１８は、主情報再生部１９によって再生された主情報を、データ変換部１７によって抽出された暗号鍵情報に基づいて復号化する。
【００９１】
このように、主情報が再生され、スタンパ毎に共通なスタンパ固有情報に基づいて、主情報を再生するために必要な暗号鍵情報（再生許可情報）をデータ変換した第１の副情報が再生される。また、光ディスク毎に異なるディスク識別情報（媒体固有情報）に基づいて、スタンパ固有情報をデータ変換した第２の副情報が再生される。そして、ディスク識別情報に基づいて、再生された第２の副情報がデータ変換されることにより、スタンパ固有情報が生成され、生成されたスタンパ固有情報に基づいて、再生された第１の副情報がデータ変換されることにより、暗号鍵情報が抽出される。
【００９２】
したがって、本発明の情報再生装置によれば、光ディスク毎に異なる第２の副情報が再生されなければ、主情報を再生することができないので、同一のスタンパ１’から転写された光ディスク１であっても、光ディスク毎に異なる第２の副情報を読み出す必要があり、光ディスク毎に共通の情報を読み出す場合に比べて、光ディスク１の不正な解析が困難となり、記録されている主情報への不正なアクセスを防止することができる。
【００９３】
図４は、本発明の実施の形態１における情報記録媒体の構成を示す図である。
【００９４】
図４に示す光ディスク（情報記録媒体）１は、ユーザデータ領域（主情報記録領域）６、第１の副情報記録領域８、第２の副情報記録領域１２及び媒体識別情報記録領域２０を備える。
【００９５】
ユーザデータ領域６は、主情報を記録する。
【００９６】
第１の副情報記録領域８は、スタンパ毎に共通なスタンパ固有情報に基づいて、主情報を再生するために必要な暗号鍵情報（再生許可情報）をデータ変換した第１の副情報を記録する。第１の副情報記録領域８は、主情報とは異なる形態で第１の副情報を記録している。また、第１の副情報記録領域８は、凹凸記録マークの変位、凹凸記録マークの変形、及び凹凸記録マークにより所定パターンで記録されるデータの当該パターンの改変のうちの少なくとも１つによって第１の副情報を記録している。
【００９７】
第２の副情報記録領域１２は、光ディスク毎に異なるディスク識別情報（媒体固有情報）に基づいて、スタンパ固有情報をデータ変換した第２の副情報を記録する。第２の副情報記録領域１２は、主情報及び第１の副情報とは異なる形態で第２の副情報を記録している。また、第２の副情報記録領域１２は、反射膜の反射率を変化させることによって第２の副情報を記録している。
【００９８】
主情報と第１の副情報とが記録されたスタンパ１’から、主情報と第１の副情報とが光ディスク１に転写されるとともに、第２の副情報が光ディスク１に記録される。
【００９９】
媒体識別情報記録領域２０は、光ディスク１を識別するためのディスク識別情報（媒体識別情報）を記録する。媒体識別情報記録領域２０は、光ディスク１にレーザ光が照射され、反射膜の反射率を変化させることによってディスク識別情報を記録している。
【０１００】
このように、ユーザデータ領域６には、主情報が記録され、第１の副情報記録領域８には、スタンパ毎に共通なスタンパ固有情報に基づいて、主情報を再生するために必要な暗号鍵情報（再生許可情報）をデータ変換した第１の副情報が記録され、第２の副情報記録領域１２には、光ディスク毎に異なるディスク識別情報（媒体固有情報）に基づいて、スタンパ固有情報をデータ変換した第２の副情報が記録される。そして、主情報と第１の副情報とが記録されたスタンパ１’から、主情報と第１の副情報とが光ディスク１に転写されるとともに、第２の副情報が光ディスク１に記録される。
【０１０１】
したがって、本発明の光ディスク（情報記録媒体）によれば、光ディスク毎に異なる第２の副情報が再生されなければ、主情報を再生することができないので、主情報の著作権を確実に保護することができる。また、同一のスタンパから転写された光ディスク１であっても、光ディスク毎に異なる第２の副情報を読み出す必要があり、光ディスク毎に共通の情報を読み出す場合に比べて、光ディスク１の不正な解析が困難となり、記録されている主情報への不正なアクセスを防止することができる。
【０１０２】
次に、本発明の実施の形態１における情報記録媒体について説明する。図５は、本発明の実施の形態１における情報記録媒体の構成を示す外観図である。
【０１０３】
情報記録媒体１０１は、スタンパから転写して複製されたＲＯＭ型情報記録媒体である。情報記録媒体１０１は、第２の副情報が記録される第２の副情報記録領域１０２と、コンテンツ情報などの主情報が凹凸記録マークにより記録される主情報記録領域（ユーザデータ領域）１０３とで構成されている。
【０１０４】
第２の副情報記録領域１０２は、バーコードマークを形成して第２の副情報が記録されている。バーコードマークは、スタンパから転写して複製された後、反射膜が蒸着された情報記録媒体１０１の内周部分において、ディスクの半径方向に長いバーコード状に、ＹａＧレーザから高出力のレーザ光を照射し、反射膜を除去することによって形成される。
【０１０５】
第２の副情報は、スタンパで複製された情報記録媒体１枚毎に異なる情報であり、スタンパ毎に固有のスタンパ固有情報と、情報記録媒体毎に固有のディスク識別情報とに基づいて生成される。
【０１０６】
主情報記録領域１０３は、凹凸記録マークで主情報が記録されており、スタンパによって転写されることによって記録される領域である。また、凹凸記録マークにより記録されている主情報の一定間隔のフレーム単位に付与されているフレームシンクのパターンが通常のパターンから改変されることによって、第１の副情報が主情報に重畳されて記録されている。よって、情報記録媒体１０１を作成するためのスタンパには、主情報と第１の副情報とが記録されている。主情報と第１の副情報とは、ポリカーボネート樹脂などで構成される光ディスク基盤に転写複製されて記録される。主情報と第１の副情報とが転写された後に、光ディスク基盤に金属膜からなる反射膜が蒸着又はスパッタリングで付与されて、反射膜上に保護膜が形成されることにより、情報記録媒体１０１が作成される。
【０１０７】
図６は、本発明の実施の形態１における情報記録媒体１０１の主情報記録領域１０３の情報記録面を拡大した概念図である。
【０１０８】
情報記録媒体１０１には、ポリカーボネート樹脂などで構成される光ディスク基盤１Ｐにスタンパから転写された凹凸記録マーク１０４が形成され、凹凸記録マーク１０４上に、金属膜からなる反射膜１Ｌが蒸着又はスパッタリングされて形成されている。凹凸記録マーク１０４により、主情報及び第１の副情報が記録される。
【０１０９】
図７は、本発明の実施の形態１の情報記録媒体の主情報記録領域１０３の記録フォーマットを示す概念図であり、図７（Ａ）は、第１の副情報が記録されていない場合の主情報記録領域１０３のセクタフォーマットを示す図であり、図７（Ｂ）は、第１の副情報が記録されている場合の主情報記録領域１０３のセクタフォーマットを示す図である。なお、実施の形態１では、情報記録媒体がＤＶＤ−ＲＯＭである場合について説明する。
【０１１０】
なお、ＤＶＤ−ＲＯＭの主情報は、１４８８チャネルビット単位のフレームと、２６フレーム単位のセクタと、１６セクタ単位のＥＣＣ（Ｅｒｒｏｒ  Ｃｏｒｒｅｃｔｉｏｎ  Ｃｏｄｅ）ブロック毎に記録されている。フレームは、データ同期単位の最小単位であり、フレームの先頭には、３２チャネルビットの同期符号（フレームシンク）が付与されている。セクタは、データアクセスのためのアドレス情報が付与されている単位であり、ＥＣＣブロックは、エラー訂正符号化された１６ＫＢ（キロバイト）単位の論理的な最小アクセス単位である。
【０１１１】
図７（Ａ）で示すように、ＤＶＤ−ＲＯＭのセクタは、２６フレームから構成されており、フレーム毎の先頭３２チャネルビットに同期符号（フレームシンク）を有している。同期符号は、同期符号の種別を示す種別部と、すべての同期符号で共通の固定パターンであり、同期符号であることを示す同期部とから構成されており、ＤＶＤ−ＲＯＭの同期部は、１４チャネルビット及び４チャネルビットの連続する符号である。
【０１１２】
フレーム内の先頭の同期符号以外の部分はデータ符号であり、コンテンツ情報などのデータが記録される。
【０１１３】
また、ＤＶＤ−ＲＯＭの同期符号は、“ＳＹ０”〜“ＳＹ７”の８通りが存在し、同期符号の種別部によって識別される。また、ＤＶＤ−ＲＯＭでは、連続する同期符号の並びを確認することによって、セクタ内のフレーム位置（フレームアドレス）を抽出することができる。例えば、“ＳＹ０”の同期符号が付与されたフレームの後に“ＳＹ５”の同期符号が付与されたフレームが確認されることによって、“ＳＹ５”の同期符号が付与されたフレームはセクタ内の第２フレームであることが判定できる。また、“ＳＹ３”の同期符号が付与されたフレームの後に、“ＳＹ６”の同期符号が付与されたフレームが確認されると、“ＳＹ６”の同期符号が付与されたフレームは、セクタ内の第１６フレームであることが判定できる。この同期符号の並びは、ＤＶＤ−ＲＯＭの物理規格として、定められている。
【０１１４】
一方、図７（Ｂ）は、本実施の形態１の第１の副情報が主情報に重畳して記録されている場合のセクタ構造を示している。本例では、図７（Ａ）の標準のセクタフォーマットに対して、第４、１６、２０フレームの同期符号が、本来の“ＳＹ５”、“ＳＹ６”、“ＳＹ７”からそれぞれ通常ではありえない（物理規格上存在しない）“ＳＹ８”に改変されている。この同期符号のパターンの改変によって第１の副情報が記録されている。
【０１１５】
具体的には、本実施の形態１の情報記録媒体において、第４フレーム３８１、第８フレーム３８２、第１２フレーム３８３、第１６フレーム３８４、第２０フレーム３８５及び第２４フレーム３８６の同期符号が、“ＳＹ８”に置き換えられているかどうかによって第１の副情報が１ビットずつ記録される。よって、セクタ内に６ビットの第１の副情報が記録され、特定のＥＣＣブロックに９６ビットの第１の副情報が記録される。図７（Ｂ）では、第４フレーム３８１、第１６フレーム３８４及び第２０フレーム３８５の同期符号が、“ＳＹ８”に置き換えられているため、当該セクタに記録されている第１の副情報は“１００１１０”となる。
【０１１６】
なお、本例では、同期符号が、“ＳＹ８”に置き換えられている場合に、第１の副情報のビット値を“１”としているが、同期符号が、“ＳＹ８”に置き換えられている場合に、第１の副情報のビット値を“０”とし、上記の第１の副情報を“０１１００１”としてもよいが、情報記録装置と情報再生装置とで共通の置換規則を有していることが必須である。
【０１１７】
本例のように、同期符号のパターンを改変することによって第１の副情報を記録する場合であっても、改変されている同期符号より２フレーム手前の同期符号が改変されることはない。従って、改変されている同期符号より手前の２フレームにおけるフレームアドレスは正常に検出することが可能となり、たとえ、同期符号が改変されていてフレームアドレスが抽出できない場合であっても、フレーム数をカウントしておけば、フレームアドレスを補完することは容易であり、主情報の再生に影響を与えるものではない。また、通常の再生動作においても、同期符号を誤って読み出す恐れがあるので、一般的な情報再生装置においても、このようなフレームアドレスの補完機能を搭載していることは一般的である。
【０１１８】
図８は、本発明の実施の形態１の情報記録媒体を製造するための手順を説明するための図である。
【０１１９】
本実施の形態１における情報記録媒体を製造するための手順は、マスタリング工程１４０、デュプリケーション工程１５０、第２の副情報記録工程１６０及び媒体識別情報記録工程１７０からなる。
【０１２０】
マスタリング工程１４０は、入力されるコンテンツ情報に基づいてスタンパを作成する。マスタリング工程１４０は、暗号化部１１２、変調部１１４、第１の副情報重畳部１１６、原盤記録部１１７及びスタンパ作成部１１８による処理から構成される。
【０１２１】
暗号化部１１２は、コンテンツ情報記憶部１１１からコンテンツ情報を読み出し、読み出したコンテンツ情報を、暗号鍵生成部１１３によって生成された暗号鍵を用いて暗号化する。コンテンツ情報記憶部１１１は、情報記録媒体に記録するコンテンツ情報を記憶する。暗号鍵生成部１１３は、コンテンツ情報を暗号化するための暗号鍵を生成する。
【０１２２】
変調部１１４は、一般的なフォーマッタで構成されており、暗号化部１１２によって暗号化された暗号化コンテンツ情報を、記録する情報記録媒体に応じて変調する。例えば、ＤＶＤ−ＲＯＭでは、８−１６変調が適用され、入力される８ビット情報を１６チャネルビット情報に変換する。また、変調部１１４は、フレーム単位に通常の同期符号を付与するとともに、セクタ単位にアドレス情報を重畳し、ＥＣＣブロック単位でエラー訂正符号化を行う。
【０１２３】
第１の副情報重畳部１１６には、暗号鍵生成部１１３によって生成された暗号化鍵が入力される。また、第１の副情報重畳部１１６には、スタンパ固有情報生成部１１５によって生成されたスタンパ固有情報が入力される。スタンパ固有情報生成部１１５は、コンテンツ情報を記録するスタンパに固有のスタンパ固有情報を生成する。なお、スタンパ固有情報生成部１１５は、コンテンツ情報毎に共通のコンテンツ共通情報を生成してもよいし、記録するスタンパ毎に共通のスタンパ固有情報を生成してもよい。
【０１２４】
第１の副情報重畳部１１６は、入力される暗号鍵とスタンパ固有情報とに基づいて第１の副情報を生成する。そして、第１の副情報重畳部１１６は、生成した第１の副情報に応じて、変調部１１４から入力されるフレーム単位に同期符号が付与された変調データに対して、特定のＥＣＣブロック内の同期符号のパターンを改変することによって第１の副情報を重畳した変調データを生成する。
【０１２５】
原盤記録部１１７は、第１の副情報重畳部１１６で第１の副情報が重畳された変調データに応じて、光ディスク原盤にレーザを照射するための記録信号を生成して、光ディスク原盤にレーザ光を照射する。原盤記録部１１７は、光ディスク原盤上に第１の副情報を重畳した変調データに応じた凹凸記録マークを形成する。これにより、光ディスク原盤が作成される。
【０１２６】
スタンパ作成部１１８は、原盤記録部１１７によって作成された光ディスク原盤をガラス基盤に転写することによってスタンパを作成する。スタンパ作成部１１８は、作成したスタンパをデュプリケーション工程１５０に移す。
【０１２７】
デュプリケーション工程１５０は、プレス部１１９、反射膜スパッタリング部１２０及び保護膜形成部１２１による処理から構成される。
【０１２８】
プレス部１１９は、マスタリング工程１４０で作成したスタンパをポリカーボネート樹脂などなからなる光ディスク基盤にプレスして、スタンパに記録されている凹凸記録マークを転写する。これにより、主情報と第１の副情報とが複製される。また、プレス部１１９は、１枚のスタンパから複数の光ディスク基盤を作成する。
【０１２９】
反射膜スパッタリング部１２０は、プレス部１１９でプレスして複製した光ディスク基盤の凹凸記録マーク上に金属膜などの反射膜をスパッタリングする。なお、反射膜は蒸着してもよい。
【０１３０】
保護膜形成部１２１は、反射膜スパッタリング部１２０で反射膜が形成された光ディスク基盤に保護膜を形成して、情報記録媒体である光ディスクを作成する。よって、デュプリケーション工程１５０では、一枚のスタンパから複数の光ディスクを作成することができ、同じスタンパから作成される各光ディスクには、同一の主情報及び第１の副情報が記録されている。このように作成された光ディスクは、第２の副情報記録工程１６０に移される。
【０１３１】
第２の副情報記録工程１６０は、デュプリケーション工程１５０で作成した光ディスク毎に第２の副情報を記録する。第２の副情報記録工程１６０は、第２の副情報生成部１２３及び第２の副情報記録部１２４による処理から構成される。
【０１３２】
第２の副情報生成部１２３は、マスタリング工程１４０の第１の副情報重畳部１１６で用いたスタンパ固有情報（コンテンツ共通情報）と、光ディスク１枚毎に異なるように媒体識別情報生成部１２２で生成されたディスク識別情報とに基づいて第２の副情報を生成する。媒体識別情報生成部１２２は、光ディスク毎に固有のディスク識別情報を生成する。本実施の形態１における第２の副情報の生成方法として、スタンパ固有情報とディスク識別情報との排他的論理和に基づいたデータスクランブルを用いたり、ディスク識別情報を暗号鍵としてスタンパ固有情報を暗号化したりするなどして第２の副情報を生成する。また、第２の副情報は、バーコード変調が成される。
【０１３３】
第２の副情報記録部１２４は、バーコード変調された第２の副情報に応じて、光ディスクに高出力のＹａＧレーザ光などを照射して、光ディスクの内周部分の反射膜を、径方向に長いバーコード状に除去することによって、第２の副情報を記録する。第２の副情報記録部１２４は、一般的な光ディスクへのＢＣＡを記録する装置を用いることによって第２の副情報を記録することができる。第２の副情報が記録された光ディスクは、媒体識別情報記録工程１７０に移される。
【０１３４】
媒体識別情報記録工程１７０は、主情報と第１の副情報とがデュプリケーション工程１５０によってスタンパから転写され、第２の副情報が第２の副情報記録工程１６０によって記録された光ディスクにディスク識別情報を記録する。媒体識別情報記録工程１７０は、媒体識別情報記録部１２５による処理から構成される。
【０１３５】
媒体識別情報記録部１２５は、第２の副情報記録工程１６０における第２の副情報生成部１２３で用いたディスク識別情報を、第２の副情報と同様にバーコード変調する。媒体識別情報記録部１２５は、バーコード変調されたディスク識別情報に応じて、光ディスクに高出力のＹａＧレーザ光などを照射して、光ディスクの内周部分の反射膜を、径方向に長いバーコード状に除去することによって、ディスク識別情報を記録する。従って、媒体識別情報記録工程１７０の媒体識別情報記録部１２５と、第２の副情報記録工程１６０の第２の副情報記録部１２４とは、同一のＢＣＡ記録装置で構成されている。第２の副情報記録工程１６０と媒体識別情報記録工程１７０とは、同時に行ってもよい。
【０１３６】
以上の構成により、マスタリング工程１４０において、主情報と第１の副情報とを凹凸記録マークとして記録したスタンパが作成され、デュプリケーション工程１５０において、スタンパに基づいて複数の光ディスクが作成され、第２の副情報記録工程１６０と媒体識別情報記録工程１７０とにおいて、光ディスクの内周部分にバーコードマークとして、第２の副情報とディスク識別情報とが記録される光ディスクが作成される。
【０１３７】
また、第１の副情報は、スタンパ毎に共通のスタンパ固有情報と、コンテンツ情報を暗号化するための暗号鍵情報とに基づいて生成され、第２の副情報は、ディスク識別情報とスタンパ固有情報とに基づいて生成される。よって、光ディスクを再生するためには、媒体毎に異なるディスク識別情報と第２の副情報とを再生し、第２の副情報からスタンパ固有情報を抽出し、第１の副情報と抽出したスタンパ固有情報とに基づいてコンテンツ情報の暗号鍵を抽出する必要がある。
【０１３８】
これにより、媒体毎に異なる第２の副情報を読み出すことなしには、コンテンツ情報の暗号鍵は抽出されない光ディスクを作成することができる。よって、例え１枚の光ディスクから第２の副情報が流出したとしても、流出した第２の副情報によって他の光ディスクのコンテンツ情報を再生できる保証はなく、光ディスクに記録されているコンテンツ情報の著作権の保護をより強化することが可能となる。
【０１３９】
図９は、本発明の実施の形態１の情報記録媒体を製造する製造装置の特徴的な構成を示すブロック図である。
【０１４０】
情報記録媒体を製造する製造装置は、図８で説明したマスタリング工程１４０、第２の副情報記録工程１６０及び媒体識別情報記録工程１７０と対応付けられるマスタリング部１４１、第２の副情報記録処理部１６１及び媒体識別情報記録処理部１７１によって構成される。
【０１４１】
マスタリング部１４１は、主情報と第２の副情報とを光ディスク原盤に記録する。マスタリング部１４１は、暗号化部１８１、変調部１８２、擬似乱数系列発生部１８３、スクランブル部１８４及び第１の副情報重畳部１８５から構成される。
【０１４２】
暗号化部１８１は、光ディスク原盤（スタンパ１８６）に記録するコンテンツ情報を、コンテンツ情報を再生するために必要な情報である暗号鍵で暗号化することにより、暗号化コンテンツ情報を生成する。暗号化部１８１は、生成した暗号化コンテンツ情報を変調部１８２に出力する。
【０１４３】
変調部１８２は、暗号化部１８１から入力される暗号化コンテンツ情報を、記録する光ディスクに応じて変調する。変調部１８２は、暗号化コンテンツ情報を変調するとともに、暗号化コンテンツ情報の所定データ量毎のフレーム単位に同期符号（フレームシンク）を付与し、セクタ単位にアドレス情報を付与し、ＥＣＣブロック単位にエラー訂正符号化することにより、変調主情報を生成する。変調部１８２は、生成した変調主情報を第１の副情報重畳部１８５に出力する。
【０１４４】
擬似乱数系列発生部１８３は、Ｍ系列又はＧｏｌｄ系列を発生する一般的なシフトレジスタによって構成される。擬似乱数系列発生部１８３は、第１の副情報を記録する先頭のフレーム位置で、スタンパ固有情報を初期値としてセットして、第１の副情報を重畳記録するフレーム単位に１ビットずつシフトレジスタをシフトして擬似乱数系列を１ビットずつ発生させる。擬似乱数系列発生部１８３は、発生させた擬似乱数系列をスクランブル部１８４に出力する。なお、初期値としてセットするとは、シフトレジスタに値（スタンパ固有情報）をプリセットすることを意味している。
【０１４５】
スタンパ毎に共通なスタンパ固有情報が初期値として擬似乱数系列発生部１８３にセットされ、擬似乱数系列が、第１の副情報が記録される領域でフレーム単位に１ビットずつ発生される。
【０１４６】
スクランブル部１８４は、第１の副情報が記録される領域でフレーム単位に１ビットずつ発生される擬似乱数系列を用いて、暗号鍵をスクランブルする。スクランブル部１８４は、スクランブル暗号鍵を第１の副情報として第１の副情報重畳部１８５に出力する。
【０１４７】
第１の副情報重畳部１８５は、スクランブル部１８４から入力される第１の副情報のビットの値に応じて、変調部１８２から入力される変調主情報のフレーム単位に付与されている同期符号を改変することによって変調主情報に第１の副情報を重畳する。具体的には、図７（Ｂ）で示したとおり、第１の副情報を記録するセクタ内の第４、８、１２、１６、２０、２４フレームにおいて、記録する第１の副情報のビット値が“１”の場合は、同期符号を“ＳＹ８”に改変し、ビット値が“０”の場合は、同期符号を改変しない。このようにして、第１の副情報重畳部１８５は、第１の副情報を重畳した変調主情報を記録する記録信号を生成する。第１の副情報重畳部１８５は、生成した記録信号に応じて、光ディスク原盤にレーザ光を照射することで、光ディスク原盤上に凹凸記録マークを形成し、主情報と第１の副情報とを記録する。
【０１４８】
第１の副情報重畳部１８５は、第１の副情報を記録する特定のＥＣＣブロック内の各セクタの第４、８、１２、１６、２０、２４フレームにそれぞれ１ビットの第１の副情報を記録する。そのため、ＥＣＣブロック内では、９６ビットの第１の副情報を記録することができる。
【０１４９】
以上のように、マスタリング部１４１は、主情報であるコンテンツ情報と第１の副情報とが記録された光ディスク原盤を作成し、当該光ディスク原盤をガラス盤に転写することによってスタンパ１８６を作成する。また、不図示のデュプリケーション部は、スタンパ１８６から複数の光ディスクを作成する。また、本実施の形態１では、第１の副情報とは、コンテンツ情報を暗号化するための暗号鍵を、スタンパ固有情報を初期値として発生させた擬似乱数系列によってスクランブルした情報である。
【０１５０】
第２の副情報記録処理部１６１は、暗号化部１８７、第２の副情報生成部１８８及び第２の副情報記録部１８９によって構成される。
【０１５１】
暗号化部１８７は、光ディスク毎に異なるディスク識別情報を鍵として使用し、マスタリング部１４１における擬似乱数系列発生部１８３に初期値としてセットされるスタンパ固有情報を暗号化する。暗号化されたスタンパ固有情報は、第２の副情報生成部１８８に出力される。
【０１５２】
第２の副情報生成部１８８は、暗号化部１８７から入力される暗号化されたスタンパ固有情報をバーコード変調することによって第２の副情報を生成する。第２の副情報生成部１８８は、生成した第２の副情報を第２の副情報記録部１８９に出力する。なお、本実施の形態１の第２の副情報は、光ディスク毎に異なるディスク識別情報を用いて、スタンパ毎に共通のスタンパ固有情報を暗号化することにより生成される。そのため、第２の副情報は、光ディスク毎に異なる情報である。
【０１５３】
第２の副情報記録部１８９は、バーコード変調された第２の副情報に応じて、光ディスク１９４の内周部分にＹａＧレーザ光などを照射して、径方向に長いバーコードマークを形成することにより、第２の副情報を記録する。
【０１５４】
媒体識別情報記録処理部１７１は、光ディスク毎に異なるディスク識別情報を記録する。媒体識別情報記録処理部１７１は、暗号化部１９０、バーコード変調部１９２及び媒体識別情報記録部１９３によって構成される。
【０１５５】
暗号化部１９０は、第２の副情報記録処理部１６１における暗号化部１８７で暗号鍵として用いたディスク識別情報を、内部に機密に保持している暗号鍵Ｋｍ１９１によって暗号化する。暗号化したディスク識別情報は、バーコード変調部１９２に出力される。
【０１５６】
バーコード変調部１９２は、暗号化されたディスク識別情報をバーコード変調する。バーコード変調部１９２は、バーコード変調した暗号化ディスク識別情報を媒体識別情報記録部１９３に出力する。
【０１５７】
媒体識別情報記録部１９３は、バーコード変調された暗号化ディスク識別情報に応じて、光ディスク１９４の内周部分の反射膜を半径方向に長いバーコード状に除去してバーコードマークを形成することにより、光ディスク１９４の内周部分に暗号化ディスク識別情報を記録する。
【０１５８】
よって、媒体識別情報記録処理部１７１の媒体識別情報記録部１９３は、第２の副情報記録処理部１６１の第２の副情報記録部１８９と同様の処理により、暗号化ディスク識別情報をバーコード記録する。第２の副情報記録処理部１６１と媒体識別情報記録処理部１７１とは、同一の装置として構成してもよく、第２の副情報記録処理部１６１による第２の副情報記録工程と、媒体識別情報記録処理部１７１による媒体識別情報記録工程とは、同時に行ってもよい。
【０１５９】
以上のような構成により、製造装置は、主情報と第１の副情報とを記録したスタンパ１８６から転写して作成される光ディスク１９４に、第２の副情報とディスク識別情報との両方を記録することができる。
【０１６０】
本実施の形態１の第１の副情報は、コンテンツ情報の再生に必要な情報であるとともにコンテンツ情報を暗号化するための暗号鍵情報を、スタンパ毎に共通のスタンパ固有情報を初期値として発生させた擬似乱数系列によってスクランブルすることにより、生成される。
【０１６１】
また、本実施の形態１の第２の副情報は、第１の副情報をスクランブルする際に用いたスタンパ固有情報を、光ディスク毎に異なるディスク識別情報によって暗号化することにより、記録される。
【０１６２】
従って、再生時には、光ディスク毎に異なる第２の副情報とディスク識別情報とが再生され復号されることによって、スタンパ固有情報が生成される。また、スタンパ固有情報によって第１の副情報がデスクランブルされてコンテンツ情報の暗号を解くための暗号鍵が生成される。従って、同じスタンパから転写された光ディスクであっても、光ディスク毎に異なる第２の副情報を再生する必要があり、たとえ、１枚の光ディスクから第２の副情報が流出したとしても、流出した第２の副情報を用いて他の光ディスクを再生することは不可能である。そのため、光ディスクに記録されるコンテンツ情報の著作権の保護を強化することができる。
【０１６３】
図１０は、本発明の実施の形態１の光ディスクの内周部分に記録される、第２の副情報と暗号化されたディスク識別情報とのデータフォーマットの一例を示す図である。
【０１６４】
光ディスクの内周部分に記録される、第２の副情報と暗号化されたディスク識別情報とは、バーコード変調され、光ディスクの径方向に長いバーコードマークとしてＢＣＡに記録さている。各データクラスタの先頭にはバーコードマークの同期符号ＳＢ２０７が記録されている。ＢＣＡには、データフォーマットが暗号化媒体識別情報と第２の副情報とを含むことを示すＢＣＡプリアンブル（ＢＣＡ  Ｐｒｅ−Ａｍｂｌｅ）２０６、暗号化されたディスク識別情報２０１、暗号化されたディスク識別情報のエラー訂正のためのパリティ２０２、暗号化スタンパ固有情報（＝第２の副情報）２０３及び暗号化スタンパ固有情報のパリティ２０４が記録されている。
【０１６５】
図１１は、図９の製造装置によって作成された光ディスクからコンテンツ情報を再生する情報再生装置の特徴的な構成を示すブロック図である。
【０１６６】
情報再生装置は、情報記録媒体である光ディスク２１１からスタンパ毎に共通の第１の副情報と、光ディスク毎に異なる第２の副情報とを再生することによって、光ディスク２１１に記録されているコンテンツ情報を再生する。情報再生装置は、媒体識別情報再生部２１２、バーコード復調部２１３、復号化部２１４、第２の副情報再生部２１６、復号化部２１７、擬似乱数系列発生部２１８、第１の副情報再生部２１９、データ変換部２２０、主情報再生部２２１及び復号化部２２２によって構成される。
【０１６７】
媒体識別情報再生部２１２は、光ディスク２１１の内周部分に記録されているバーコード情報を、レーザ照射による反射光強度の変化によって読み出し、レーザ強度を示す信号をバーコード復調部２１３へ出力する。
【０１６８】
バーコード復調部２１３は、バーコードの読み出し信号であるレーザ強度を示す信号から、バーコード化された暗号化ディスク識別情報を読み出す。バーコード復調部２１３は、読み出した暗号化ディスク識別情報を復号化部２１４に出力する。
【０１６９】
復号化部２１４は、図９の暗号化部１９０に対応する部分である。復号化部２１４は、暗号化されたディスク識別情報を内部に秘密に保持する暗号鍵Ｋｍ２１５によって復号化することにより、ディスク識別情報を抽出する。復号化部２１４は、抽出したディスク識別情報を復号化部２１７に出力する。
【０１７０】
第２の副情報再生部２１６は、媒体識別情報再生部２１２と同様に、光ディスク２１１の内周部分に記録されているバーコード情報から、バーコード化された第２の副情報を読み出す。第２の副情報再生部２１６は、読み出した第２の副情報を復号化部２１７に出力する。
【０１７１】
復号化部２１７は、図９の暗号化部１８７に対応する部分である。復号化部２１７は、復号化部２１４から入力されるディスク識別情報を鍵として使用し、第２の副情報（暗号化されたスタンパ固有情報）を復号化することにより、スタンパ固有情報を抽出する。復号化部２１７は、抽出したスタンパ固有情報を擬似乱数系列発生部２１８に出力する。
【０１７２】
擬似乱数系列発生部２１８は、図９の擬似乱数系列発生部１８３と同等の構成である。擬似乱数系列発生部２１８は、復号化部２１７から入力されるスタンパ固有情報を初期値としてプリセットして、第１の副情報を再生する特定のＥＣＣブロック内のフレーム単位に１ビットずつの擬似乱数系列を発生させる。擬似乱数系列発生部２１８は、発生させた擬似乱数系列をデータ変換部２２０に出力する。
【０１７３】
第１の副情報再生部２１９は、光ディスク２１１にレーザ光を照射し、光ディスク２１１からの反射光に基づいて凹凸記録マークを検出する。第１の副情報再生部２１９は、凹凸記録マークの一定間隔毎のフレーム単位に付与されている同期符号を検出し、同期符号のパターンからセクタ内のフレームアドレスを抽出する。第１の副情報再生部２１９は、セクタ内の第４、８、１２、１６、２０、２４フレームにおいて、同期符号が“ＳＹ８”に改変されている場合には、ビット値“１”を検出し、同期符号が改変されていない場合には、ビット値“０”を検出し、検出したビット値を第１の副情報として抽出する。第１の副情報再生部２１９は、抽出した第１の副情報をデータ変換部２２０に出力する。
【０１７４】
なお、第１の副情報再生部２１９は、図示しないシステムコントローラから、特定のＥＣＣブロック内から第１の副情報を読み出す旨の読み出し命令を受けた場合に、特定のＥＣＣブロック内から第１の副情報を読み出す。
【０１７５】
データ変換部（デスクランブル部）２２０は、図９のスクランブル部１８４に対応する部分である。データ変換部２２０は、第１の副情報を再生するＥＣＣブロック内で、第４、８、１２、２０、２４フレーム毎に１ビットずつ出力される第１の副情報と、フレーム単位で１ビットずつ出力される擬似乱数系列との排他的論理和を求めることにより、第１の副情報をデスクランブルする。これにより、データ変換部２２０は、第１の副情報のデータ変換を行い、暗号鍵を抽出する。データ変換部２２０は、抽出した暗号鍵を復号化部２２２へ出力する。
【０１７６】
主情報再生部２２１は、光ディスク２１１にレーザ光を照射し、反射光から凹凸記録マークを検出することにより、主情報として記録されている暗号化コンテンツ情報を再生する。主情報再生部２２１は、再生した暗号化コンテンツ情報を復号化部２２２に出力する。
【０１７７】
復号化部２２２は、図９の暗号化部１８１に対応する部分である。復号化部２２２は、主情報再生部２２１によって再生された暗号化コンテンツ情報を暗号鍵によって復号化してコンテンツ情報を再生する。
【０１７８】
以上の構成により、情報再生装置は、光ディスク毎に異なる第２の副情報とディスク識別情報とを再生することによって、スタンパ毎に共通のスタンパ固有情報を生成する。そして、情報再生装置は、スタンパ毎に共通の第１の副情報とスタンパ固有情報とから暗号化コンテンツ情報を復号するための暗号鍵を生成してコンテンツ情報を再生する。この構成によれば、悪意ある情報再生装置製造メーカは、本情報再生装置の如何なる構成要素も削除することができなくなる。そのため、情報再生装置製造メーカは、第１の副情報と第２の副情報とが記録された正規の光ディスクのみを再生する情報再生装置を作成することが義務付けられ、悪意ある情報再生装置製造メーカを排除することができる。
【０１７９】
また、たとえ１枚の光ディスクから第２の副情報が流出したとしても、流出した第２の副情報を利用して他の光ディスクのコンテンツ情報を再生することは不可能である。そのため、本実施の形態１の光ディスクに記録されるコンテンツ情報の著作権の保護を強化することができる。
【０１８０】
図１２は、本発明の実施の形態１における第１の副情報記録部の特徴的な構成を示すブロック図である。
【０１８１】
図１２は、図９における第１の副情報記録部１８０の詳細な構成を示すブロック図である。第１の副情報記録部１８０は、マスタリング部１４１において、光ディスク原盤２３０に主情報と第１の副情報とを記録する。第１の副情報記録部１８０は、アドレスデコーダ２３１、初期値生成部２３２、擬似乱数系列発生部２３３、スクランブル部２３４、第１の副情報重畳部２３５、レーザ発光信号生成部２３６、レーザドライバ２３７及び光学ヘッド２３８から構成される。
【０１８２】
アドレスデコーダ２３１は、入力される変調主情報を一旦復調することによりアドレス情報を抽出し、抽出したアドレス情報を初期値生成部２３２に出力する。なお、変調主情報とは、コンテンツ情報などを記録する情報記録媒体に対応した変調を行うとともに、フレーム単位で同期符号（フレームシンク）を付与し、セクタ単位でアドレス情報を付与し、ＥＣＣブロック単位でエラー訂正符号化した情報である。
【０１８３】
初期値生成部２３２は、入力されるスタンパ固有情報とアドレス情報とに基づいて、擬似乱数系列発生部２３３の擬似乱数系列発生シフトレジスタにプリセットする初期値情報を生成する。本実施の形態１では、初期値生成部２３２は、排他的論理和演算器で構成される。従って、初期値生成部２３２は、入力されるスタンパ固有情報とアドレス情報との排他的論理和の演算結果を初期値として生成し、生成した初期値を擬似乱数系列発生部２３３に出力する。また、初期値生成部２３２は、セクタ毎、すなわちアドレスが更新される毎に初期値情報を更新し、更新した初期値を擬似乱数系列発生部２３３に出力する。
【０１８４】
擬似乱数系列発生部２３３は、Ｍ系列又はＧｏｌｄ系列を発生する一般的なシフトレジスタで構成される。擬似乱数系列発生部２３３は、第１の副情報を記録する領域をアドレス情報によって判定して、入力される初期値が更新される毎、すなわちセクタ単位に入力される初期値情報をシフトレジスタにプリセットする。そして、擬似乱数系列発生部２３３は、変調主情報のフレーム単位に１ビットずつの擬似乱数系列を生成する。擬似乱数系列発生部２３３は、生成した擬似乱数系列をスクランブル部２３４に出力する。
【０１８５】
スクランブル部２３４は、入力される暗号鍵を、擬似乱数系列発生部２３３から入力される擬似乱数系列でスクランブルする。スクランブル部２３４は、排他的論理和演算器で構成される。スクランブル部２３４は、暗号鍵が入力されると、第１の副情報を記録する領域内の第４、８、１２、１６、２０、２４フレームの同期符号の１ビットずつの暗号鍵情報と、フレーム単位に更新される擬似乱数系列との排他的論理和を算出することにより、スクランブルド暗号鍵を生成する。スクランブル部２３４は、生成したスクランブルド暗号鍵を第１の副情報重畳部２３５に出力する。
【０１８６】
第１の副情報重畳部２３５は、スクランブル部２３４から入力されるスクランブルド暗号鍵のビット値に応じて、入力される変調主情報に付与されている同期符号のパターンを改変することによって、第１の副情報を変調主情報に重畳する。すなわち、第１の副情報重畳部２３５は、変調主情報の第４、８、１２、１６、２０、２４フレームのタイミングで、スクランブルド暗号鍵のビット値が“１”の場合にのみ、変調主情報に付与されている同期符号を“ＳＹ８”に置き換える。これによって、情報記録媒体がＤＶＤ−ＲＯＭの場合には、セクタ内に６ビットのスクランブルド暗号鍵情報、ＥＣＣブロック単位では９６ビットのスクランブルド暗号鍵情報が第１の副情報として変調主情報の同期符号を改変することによって記録される。
【０１８７】
レーザ発光信号生成部２３６は、第１の副情報が重畳されることによって同期符号が改変された変調主情報に従って、光ディスク原盤２３０にレーザ光を照射するタイミングを示すレーザ発光信号を生成する。レーザ発光信号生成部２３６は、生成したレーザ発光信号をレーザドライバ２３７に出力する。
【０１８８】
レーザドライバ２３７は、レーザ発光信号生成部２３６から入力されるレーザ発光信号に基づいて、光ディスク原盤２３０に照射するレーザ強度に応じた電流を光学ヘッド２３８のレーザ光源に出力することにより、レーザ発光を制御する。
【０１８９】
光学ヘッド２３８は、レーザ光源及び光学レンズを搭載しており、発光したレーザ光を光ディスク原盤２３０に集光して、光ディスク原盤２３０に凹凸記録マークを形成することによって、主情報と第１の副情報とを記録する。
【０１９０】
以上の構成によって、第１の副情報記録部１８０は、コンテンツ情報を再生するために必要となる暗号鍵を、スタンパ毎に共通のスタンパ固有情報に基づいて生成する初期値をセットすることによって生成した擬似乱数系列でスクランブルし、変調主情報の同期符号パターンを改変することによって、第１の副情報を記録することができる。
【０１９１】
なお、第１の副情報記録部１８０のスクランブル部２３４は、排他的論理和を用いてスクランブルするとして説明したがこれに限られない。例えば、排他的論理和を複数組み合わせるスクランブル方式でもよい。スクランブル部２３４の主題は、スクランブルした暗号鍵から容易に暗号鍵を類推することが不可能であり、かつ、再生するときには、少なくともスタンパ固有情報がわかれば、スクランブルされた暗号鍵から暗号鍵を逆変換することが可能であるスクランブル方式であればどのようなものでもかまわない。どのようなスクランブル方式を選択するかは設計事項である。
【０１９２】
図１３は、本発明の実施の形態１における第１の副情報を検出する第１の副情報検出部２１０の特徴的な構成を示すブロック図である。なお、図１３は、図１１における第１の副情報検出部２１０の詳細な構成を示すブロック図である。
【０１９３】
第１の副情報検出部２１０は、光ディスク２４０の凹凸記録マークから、主情報として記録されている暗号化コンテンツ情報と、第１の副情報として記録されている暗号鍵とを検出する。第１の副情報検出部２１０は、光学ヘッド２４１、アナログ再生回路２４２、デジタル再生回路２４３、フォーマッタ２４４、エラー訂正部２４５、初期値生成部２４６、擬似乱数系列発生部２４７及びデスクランブル部２４８から構成される。
【０１９４】
光学ヘッド２４１は、再生強度のレーザ光を出射するレーザ光源と、光ディスク２４０の反射膜にレーザ光を集光する集光レンズと、光ディスク２４０の反射膜からの反射光の強度を検知する複数のディテクタとを有している。
【０１９５】
アナログ再生回路２４２は、複数のディテクタで検知した反射光強度から凹凸記録マークの成分を示すアナログ再生信号を生成する。アナログ再生回路２４２は、生成したアナログ再生信号をデジタル再生回路２４３に出力する。
【０１９６】
デジタル再生回路２４３は、アナログ再生回路２４２から入力されるアナログ再生信号をＡＤ（Ａｎａｌｏｇ−Ｄｉｇｉｔａｌ）変換してデジタル再生信号を生成する。また、デジタル再生回路２４３は、生成したデジタル再生信号を増幅したり、波形等化したりするとともに、凹凸記録マークの記録帯域に同期するクロック信号をＰＬＬ（Ｐｈａｓｅ−Ｌｏａｃｋｅｄ−Ｌｏｏｐ）回路で生成する。デジタル再生回路２４３は、生成したデジタル再生信号及びクロック信号をフォーマッタ２４４に出力する。
【０１９７】
フォーマッタ２４４は、ＰＬＬ回路で生成したクロック信号で動作するデジタル回路で構成される。フォーマッタ２４４は、デジタル再生信号から同期符号パターンを検出することによってフレーム単位で同期化し、また、同期符号パターンの連続する並びからフレームアドレスを検出することによってセクタ単位で同期化し、セクタ単位に付与されているアドレス情報に基づいてＥＣＣブロック単位で同期化する。フォーマッタ２４４は、同期化したデジタル再生信号をエラー訂正部２４５に出力する。
【０１９８】
また、フォーマッタ２４４は、セクタ単位に付与されているアドレス情報を抽出して、初期値生成部２４６に出力するとともに、フレーム単位に付与されている同期符号パターンを抽出して、デスクランブル部２４８に出力する。
【０１９９】
エラー訂正部２４５は、フォーマッタ２４４から入力されるデジタル再生信号のＥＣＣブロック単位に付与されているパリティビットを用いて、デジタル再生信号のエラー検出及びエラー訂正を行い、ＥＣＣブロック毎に１６ＫＢ（キロバイト）ずつ暗号化コンテンツ情報を再生する。
【０２００】
初期値生成部２４６は、第１の副情報記録部１８０の初期値生成部２３２と同等の機能を有する。初期値生成部２４６は、第２の副情報に基づいて再生されたスタンパ固有情報と、アドレス情報との排他的論理和を算出することにより、初期値情報を生成する。初期値生成部２４６は、生成した初期値情報を擬似乱数系列発生部２４７に出力する。
【０２０１】
擬似乱数系列発生部２４７は、第１の副情報記録部１８０の擬似乱数系列発生部２３３と同等の構成である。擬似乱数系列発生部２４７は、第１の副情報を検出する領域のセクタの先頭位置に、初期値生成部２４６から入力される初期値をプリセットして、フレーム単位に１ビットずつの擬似乱数系列を生成する。擬似乱数系列発生部２４７は、生成した擬似乱数系列をデスクランブル部２４８に出力する。
【０２０２】
デスクランブル部２４８は、第１の副情報記録部１８０のスクランブル部２３４に対応する部分である。デスクランブル部２４８は、フォーマッタ２４４から入力されるフレーム単位に付与されている同期符号パターンと、フレーム単位に１ビットずつ生成される擬似乱数系列とに基づいて、スクランブルされた暗号鍵をデスクランブルする。
【０２０３】
デスクランブル部２４８は、第１の副情報を検出する領域において、第４、８、１２、１６、２０、２４フレームの同期符号が“ＳＹ８”に置き換えられているか否かを判定する。同期符号が置き換えられている場合、デスクランブル部２４８は、第１の副情報のビット値として“１”を検出し、同期符号が置き換えられていない場合、デスクランブル部２４８は、第１の副情報のビット値として“０”を検出する。そして、デスクランブル部２４８は、検出した第１の副情報のビット値と、擬似乱数系列発生部２４７から入力されるフレーム毎に更新される擬似乱数系列のビット値との排他的論理和を算出することによって、第１の副情報から暗号鍵をデスクランブルする。
【０２０４】
本実施の形態１では、１つのＥＣＣブロックに９６ビットの第１の副情報が記録されており、第１の副情報の記録されたＥＣＣブロックを再生することによって、９６ビットの暗号鍵を検出することができる。
【０２０５】
以上の構成によれば、光ディスク２４０に記録されている凹凸記録マークから、主情報と第１の副情報とを再生することができる。また、本実施の形態１の第１の副情報は、主情報のフレーム単位に付与されている同期符号が、通常ではありえない“ＳＹ８”に改変されることによって記録されている。第１の副情報検出部２１０は、フレーム単位に付与されている同期符号パターンから第１の副情報を検出する。
【０２０６】
なお、第１の副情報検出部２１０のデスクランブル部２４８は、排他的論理和を用いてデスクランブルするとして説明したがこれに限られない。例えば、排他的論理和を複数組み合わせるデスクランブル方式でもよい。デスクランブル部２４８の主題は、図１２の第１の副情報記録部１８０のスクランブル部２３４の逆変換を行うことである。どのようなスクランブル方式及びデスクランブル方式を選択するかは設計事項である。
【０２０７】
（実施の形態２）
図１４は、本発明の実施の形態２における情報記録再生システムの構成を示すブロック図である。
【０２０８】
本実施の形態２の情報記録再生システムは、情報記録媒体である光ディスクのスタンパ（光ディスク原盤）２１’を作成するマスタリング装置２２、スタンパ２１’を複製して製造した光ディスク２１に第２の副情報を記録する情報記録装置２３、及び光ディスク２１から情報を再生する情報再生装置２４から構成される。
【０２０９】
なお、本実施の形態２における情報記録再生システムは、マスタリング装置２２によって作成されたスタンパ２１’から光ディスク２１を複製するデュプリケーション装置を備えるが、図１４では省略している。
【０２１０】
マスタリング装置２２は、暗号化したコンテンツ情報を含む主情報と、スタンパ毎に共通の第１の副情報とをスタンパ２１’に記録する。マスタリング装置２２は、暗号化部２５、スクランブル部２６、主情報記録部３７及び第１の副情報記録部３８から構成される。
【０２１１】
暗号化部２５は、スタンパ２１’に記録するコンテンツ情報を暗号鍵によって暗号化して、暗号化したコンテンツ情報を主情報として生成する。主情報記録部３７は、生成された主情報に基づいて光ディスク原盤にレーザ光を照射し、光ディスク原盤に凹凸記録マークを形成することによって、主情報を記録する。
【０２１２】
スクランブル部２６は、スタンパ毎に共通のスタンパ固有情報に基づいて、暗号鍵情報のデータ変換を行う。本実施の形態２のスクランブル部２６は、スタンパ固有情報に含まれるアドレス情報の示す位置で、スタンパ固有情報に含まれる初期値情報を擬似乱数系列発生器にプリセットして発生させた擬似乱数系列と、暗号鍵との排他的論理和を算出することによってスクランブルした暗号鍵を第１の副情報として生成する。
【０２１３】
第１の副情報記録部３８は、スクランブル部２６によって生成された第１の副情報を、スタンパ２１’の第１の副情報記録領域３５’に記録する。
【０２１４】
なお、アドレス情報とは、主情報のセクタ単位に付与されるアドレス情報である。主情報を記録するアドレス情報がスタンパ固有情報に含まれるアドレス情報と一致するセクタの先頭位置で、スタンパ固有情報に含まれる初期値情報を擬似乱数系列発生器にプリセットして擬似乱数系列を発生させる。
【０２１５】
また、本実施の形態２のスタンパ固有情報は、複数のアドレス情報と、複数のアドレス情報に対応する複数の初期値情報とを含む。スクランブル部２６は、複数のアドレス情報が示すそれぞれの位置で、対応する初期値情報をプリセットして発生させた擬似乱数系列によって、暗号鍵をスクランブルデータ変換する。なお、本実施の形態２のスクランブルデータ変換は、排他的論理和演算である。従って、スタンパ固有情報に含まれるそれぞれのアドレス位置に、固有の擬似乱数系列によってスクランブルされた暗号鍵が、冗長的に複数回、スタンパ２１’に記録される。
【０２１６】
なお、本実施の形態２の第１の副情報の記録方法は、実施の形態１で説明した第１の副情報の記録方法と同様に、主情報のフレーム単位に付与される同期符号パターンを改変することによって記録する方法であり、本実施の形態２では詳細な説明を省略する。
【０２１７】
情報記録装置２３は、マスタリング装置２２で作成したスタンパ２１’から複製された複数の光ディスク２１のそれぞれに、光ディスク毎に異なる第２の副情報を記録する。情報記録装置２３は、媒体固有情報生成部２７及び媒体固有情報記録部２８から構成される。
【０２１８】
媒体固有情報生成部２７は、複数のアドレス情報と初期値情報とが記録されたスタンパ毎に共通のスタンパ固有情報の中から、光ディスク毎に無作為に少なくとも１組のアドレス情報と初期値情報との組み合わせを選択する。無作為の選択方法は、媒体固有情報生成部２７の内部に乱数発生部を設け、乱数値に応じて選択することによって実現することができる。媒体固有情報生成部２７は、無作為に選択したアドレス情報と初期値情報との組み合わせを、情報記録媒体毎に異なりえる第２の副情報として生成する。媒体固有情報生成部２７は、生成した第２の副情報を媒体固有情報記録部２８に出力する。
【０２１９】
媒体固有情報記録部２８は、図１の媒体固有情報記録部１０と同様の構成である。媒体固有情報記録部２８は、媒体固有情報生成部２７から入力される第２の副情報をバーコード変調する。媒体固有情報記録部２８は、光ディスク２１の内周部分の反射膜をＹａＧレーザ光で除去することによって、径方向に長いバーコードマークを形成し、第２の副情報を記録する。なお、媒体固有情報記録部２８における処理は、図１の媒体固有情報記録部１０と同じであるので、詳細な説明は省略する。
【０２２０】
情報再生装置２４は、光ディスク２１から、凹凸記録マークにより記録された主情報と、凹凸記録マークにより記録された第１の副情報と、光ディスク２１の内周部分にバーコードマークにより記録された第２の副情報とを再生する。情報再生装置２４は、媒体固有情報再生部２９、第１の副情報再生部３０、データ変換部３１、復号化部３２及び主情報再生部３３から構成される。
【０２２１】
媒体固有情報再生部２９は、図１の媒体固有情報再生部１４と同様の構成である。媒体固有情報再生部２９は、光ディスク２１の内周部分に記録されているバーコードマークから、アドレス情報と初期値情報との組を第２の副情報として再生する。再生したアドレス情報は第１の副情報再生部３０へ、初期値情報はデータ変換部３１へそれぞれ出力される。
【０２２２】
第１の副情報再生部３０は、媒体固有情報再生部２９から入力されるアドレス情報に従って、光ディスク２１にアクセスし、フレーム単位で付与されている同期符号パターンが改変されているか否かを示す第１の副情報を再生する。第１の副情報再生部３０は、再生した第１の副情報をデータ変換部３１に出力する。
【０２２３】
データ変換部３１は、内部にマスタリング装置２２のスクランブル部２６と同様の擬似乱数系列発生器を備える。データ変換部３１は、第１の副情報再生部３０から入力される第１の副情報と、媒体固有情報再生部２９によって再生された初期値をプリセットして発生させた擬似乱数系列との排他的論理和を算出することによって、スクランブル部２６におけるデータ変換の逆変換を行う。これにより、データ変換部３１は、第１の副情報をデスクランブルし、コンテンツ情報の暗号化に用いられた暗号鍵を再生する。データ変換部３１は、再生した暗号鍵を復号化部３２に出力する。
【０２２４】
主情報再生部３３は、光ディスク２１のユーザデータ領域３４に記録されている凹凸記録マークを再生することにより、主情報（暗号化されたコンテンツ情報）を再生する。主情報再生部３３は、光ディスク２１にレーザ光を照射し、光ディスク２１からの反射光の強度に基づいて、凹凸記録マークとして記録されている主情報を読み出す。
【０２２５】
復号化部３２は、主情報再生部３３によって再生された主情報を、データ変換部３１で抽出された暗号鍵を用いて復号化する。復号化部３２は、マスタリング装置２２の暗号化部２５に対応する部分である。
【０２２６】
以上の構成により、スタンパ毎に共通の主情報及び第１の副情報が、マスタリング装置２２によってスタンパ２１’に記録され、スタンパ２１’から転写複製されて作成される光ディスク毎に異なる第２の副情報が、情報記録装置２３によって記録される。また、情報再生装置は、光ディスク毎に異なるアドレス情報と初期値情報とを第２の副情報として読み出し、アドレス情報の示すアドレス位置で、初期値情報をプリセットして生成した擬似乱数系列によって第１の副情報をデスクランブルして、コンテンツ情報の再生に必要な情報である暗号鍵を抽出する。
【０２２７】
従って、光ディスク２１には、他の光ディスクと同じ暗号鍵が、スタンパ固有情報で示される複数のアドレス位置に、複数のアドレス位置のそれぞれ対応した初期値によって異なる擬似乱数系列でスクランブルされて冗長的に記録されている。また、第２の副情報は、スタンパ固有情報に含まれるアドレス情報と初期値との複数の組み合わせの中から、少なくとも１組が光ディスク毎に無作為に選択された情報である。従って、情報再生装置２４は、冗長的に記録されているスクランブルされた暗号鍵を、例え同じスタンパから複製して作成された光ディスクであっても、光ディスク毎に異なるアドレス位置から暗号鍵情報を再生することが可能となる。
【０２２８】
本実施の形態２では、光ディスク毎に異なる第２の副情報を記録することによって、同じスタンパでも暗号鍵の読み出し位置を異ならしめることが可能となる。これにより、暗号鍵の記録位置を解析して暗号化されたコンテンツ情報をハッキングしようとする悪意ある者からのアタックの困難度を増大させることができる。よって、光ディスクに記録されている著作物の著作権の保護を強化することができる。
【０２２９】
また、本実施の形態２では、第１の副情報を読み出す位置を媒体固有に設定できる点が、実施の形態１で説明した方法よりも有利な点である。しかしながら、一枚の光ディスクから第２の副情報が漏れた場合、同じスタンパ固有情報を持つ同一のスタンパから作成された光ディスクでは、漏れた第２の副情報を用いることによってコンテンツが再生されてしまう。そのため、第２の副情報が漏洩した場合は、実施の形態１の方法に利点がある。
【０２３０】
図１５は、本発明の実施の形態２のスタンパ固有情報のデータフォーマットの一例を示す概念図である。
【０２３１】
スタンパ固有情報は、アドレス情報と初期値情報との複数の組み合わせを含む情報であり、テーブル型の情報である。本実施の形態２のスタンパ固有情報は、３行４列の計１２通りのアドレス情報と初期値情報との組み合わせを含む。各組み合わせは、第１の副情報の記録開始アドレスと、第１の副情報の記録終了アドレスと、暗号鍵のスクランブルに用いる擬似乱数系列を生成するための初期値情報とを含む。
【０２３２】
本実施の形態２のマスタリング装置２２におけるスクランブル部２６は、スタンパ固有情報の示す１２組の記録開始アドレスの先頭位置において、当該記録開始アドレスに対応する初期値情報を擬似乱数系列発生器にプリセットして発生させた擬似乱数系列によって、暗号鍵をスクランブルする。そして、第１の副情報記録部３８は、スクランブルした暗号鍵を第１の副情報として記録する。従って、本例では、アドレスが“０ｘ００１０００００”から“０ｘ００２０００００”の範囲では、初期値である“０ｘ１１１１”をプリセットして発生させた擬似乱数系列によって暗号鍵がスクランブルされる。このようにして、全１２通りの１２領域に、それぞれ異なるスクランブルが施された暗号鍵が第１の副情報として冗長的に記録される。
【０２３３】
また、本実施の形態２の第２の副情報は、スタンパ固有情報から光ディスク毎に無作為に選択された少なくとも１組のアドレス情報と初期値情報とを示している。本実施の形態２では、スタンパ固有情報に含まれる全てのアドレス情報と初期値情報との組み合わせを光ディスクに記録しない場合と、スタンパ固有情報に含まれる全てのアドレス情報と初期値情報との組み合わせを光ディスクに記録する場合とがある。
【０２３４】
すなわち、スタンパ固有情報に含まれる全てのアドレス情報と初期値情報との組み合わせを光ディスクに記録しない場合、媒体固有情報生成部２７は、スタンパ固有情報に含まれる全１２通りのアドレス情報と初期値情報との組み合わせの中から無作為に選択した１組の記録開始アドレス（例えば、“０ｘ００６０００００”）、記録終了アドレス（例えば、“０ｘ００７０００００”）及び初期値（例えば、“０ｘ６６６６”）を第２の副情報として生成する。
【０２３５】
一方、スタンパ固有情報に含まれる全てのアドレス情報と初期値情報との組み合わせを光ディスクに記録する場合、媒体固有情報生成部２７は、スタンパ固有情報の中から媒体毎に無作為に選択した１組のアドレス情報と初期値情報との組み合わせのスタンパ固有情報における位置を表すポインタ情報（例えば、（２）−（ｂ））を第２の副情報として生成する。例えば、記録開始アドレスが“０ｘ００６０００００”であり、記録終了アドレスが“０ｘ００７０００００”であり、初期値が“０ｘ６６６６”である組み合わせが選択された場合、当該選択された組み合わせに対応するポインタ情報（図１５の（２）−（ｂ））が第２の副情報として生成される。
【０２３６】
この場合、マスタリング装置２２は、スタンパ固有情報であるテーブル情報を暗号化し、暗号化したテーブル情報を、主情報を記録するユーザデータ領域に記録する。情報再生装置は、ユーザデータ領域からスタンパ固有情報であるテーブル情報を再生するとともに、第２の副情報からポインタ情報を再生することによって、第１の副情報を再生するアドレス位置と、第１の副情報をデスクランブルするための擬似乱数系列の初期値とを抽出する。これにより、情報再生装置は、第１の副情報を媒体固有のアドレス位置から再生することが可能となる。
【０２３７】
テーブル情報を光ディスクに記録しない場合、第１の副情報の情報量が大きくなるが、スタンパ固有情報であるテーブル情報を主情報として記録する必要がないという利点がある。一方、テーブル情報を光ディスクに記録する場合、ユーザデータ領域がスタンパ固有情報を記録するために使用されるが、第１の副情報の情報量は削減することができる。テーブル情報を光ディスクに記録するか否かは、主情報と第１の副情報との情報量、及び主情報と第１の副情報とが求められるアクセス速度に応じて決定されるべきである。
【０２３８】
図１６は、本発明の実施の形態２の情報記録媒体を製造する製造装置の特徴的な構成を示すブロック図である。
【０２３９】
製造装置は、主情報と第１の副情報とを光ディスク原盤に記録してスタンパ２５７を作成するマスタリング部１４２と、スタンパ２５７から転写複製して作成される光ディスク２５８に光ディスク毎に異なる第２の副情報を記録する第２の副情報記録処理部１６２からなる。なお、本実施の形態２では、図９に示す実施の形態１の製造装置とは異なり、媒体識別情報記録処理部１７１は必ずしも必要ではない。よって、本実施の形態２では媒体識別情報記録処理部１７１はないものとして説明する。
【０２４０】
本実施の形態２の製造装置のマスタリング部１４２は、暗号化部２５１、変調部２５２、初期値選択部２５３、擬似乱数系列発生部２５４、スクランブル部２５５及び第１の副情報重畳部２５６で構成される。
【０２４１】
暗号化部２５１は、光ディスク原盤（スタンパ２５７）に記録するコンテンツ情報を、暗号鍵で暗号化することにより、暗号化コンテンツ情報を作成する。
【０２４２】
変調部２５２は、暗号化されたコンテンツ情報を、記録する情報記録媒体に応じた変調フォーマットに変調する。また、変調部２５２は、変調した暗号化コンテンツ情報の一定情報量毎のフレーム単位に同期符号を付与し、複数のフレームからなるセクタ単位にアドレス情報を付与し、複数のセクタからなるＥＣＣブロック単位にエラー訂正符号化することにより、変調主情報を生成する。変調部２５２は、生成した変調主情報を第１の副情報重畳部２５６に出力する。
【０２４３】
なお、本実施の形態２では情報記録媒体がＤＶＤ−ＲＯＭである場合について説明する。すなわち、変調部２５２は、８ビットの主情報を１６チャネルビットの変調主情報に変換する８−１６変調を行う。また、変調部２５２は、１４８８チャネルビット毎の先頭３２チャネルビットに同期符号を付与する。また、１セクタは２６フレームで構成され、セクタ単位にアドレス情報が付与されるとともに、１６ＫＢ（キロバイト）単位のＥＣＣブロックがエラー訂正符号化され、変調主情報が生成される。
【０２４４】
初期値選択部２５３は、記録する主情報のセクタ単位のアドレス情報と、第１の副情報を記録するためのスタンパ固有情報とに基づいて、第１の副情報を記録するアドレスに対応した擬似乱数系列を発生するための初期値情報を選択する。初期値選択部２５３は、選択した初期値情報を擬似乱数系列発生部２５４に出力する。
【０２４５】
すなわち、図１５の例では、記録する主情報のアドレスが、“０ｘ００１０００００”から“０ｘ００２０００００”の範囲では、図１５の（１）−（ａ）に記載されている初期値である“０ｘ１１１１”が擬似乱数系列発生部２５４に出力される。また、記録する主情報のアドレスが“０ｘ００２０００００”から“０ｘ００３０００００”の範囲では、（１）−（ｂ）に記載されている初期値である“０ｘ２２２２”が選択される。以降同様に、初期値選択部２５３は、スタンパ固有情報に含まれる全１２通りのアドレスの範囲のそれぞれに固有の初期値情報を選択して擬似乱数系列発生部２５４に出力する。
【０２４６】
なお、初期値選択部２５３は、スタンパ固有情報に含まれない主情報のアドレス領域では、任意の初期値を出力してもよい。また、初期値選択部２５３は、擬似乱数系列の発生を中断するための擬似乱数系列発生中断信号を生成して、擬似乱数系列発生部２５４に出力して、擬似乱数系列の発生を中断してもよい。
【０２４７】
擬似乱数系列発生部２５４は、Ｍ系列又はＧｏｌｄ系列などを発生する一般的なシフトレジスタで構成される。擬似乱数系列発生部２５４は、初期値選択部２５３で選択された初期値情報をセクタの先頭位置でシフトレジスタにプリセットして、擬似乱数系列を生成する。また、擬似乱数系列発生部２５４は、主情報のフレームのタイミング毎にシフトレジスタをシフトして、出力する擬似乱数系列の値を更新することによってフレーム毎に１ビットの擬似乱数系列を生成する。擬似乱数系列発生部２５４は、生成した擬似乱数系列をスクランブル部２５５に出力する。
【０２４８】
スクランブル部２５５は、フレーム毎に１ビットずつ入力される擬似乱数系列と、第１の副情報を記録する領域の第４、８、１２、１６、２０、２４フレーム毎に１ビットずつ入力される暗号鍵との排他的論理和を算出することによって暗号鍵をスクランブルして第１の副情報を生成する。
【０２４９】
よって、本実施の形態２では、セクタ内にスクランブルされた暗号鍵が６ビット記録され、ＥＣＣブロック単位で９６ビットのスクランブルされた暗号鍵が第１の副情報として記録される。また、例えば図１５のスタンパ固有情報の例では、（１）−（ａ）に記載されている“０ｘ００１０００００”から“０ｘ００２０００００”のアドレス範囲では、“０ｘ１１１１”が初期値としてＥＣＣブロックの先頭毎に設定され、ＥＣＣブロック単位に同じ暗号鍵（９６ビット）が冗長的に複数回記録される。また、（１）−（ｂ）に記載されている“０ｘ００２０００００”から“０ｘ００３０００００”のアドレス範囲でも、“０ｘ２２２２”が初期値として設定され、ＥＣＣブロック単位に同じ暗号鍵（９６ビット）が擬似乱数系列でスクランブルされて記録される。
【０２５０】
第１の副情報重畳部２５６は、変調主情報のフレーム単位の同期符号のうち、セクタ内の第４、８、１２、１６、２０、２４フレームの同期符号を、スクランブル部２５５から入力される第１の副情報のビット値に応じて改変することによって第１の副情報を記録する。
【０２５１】
以上の構成によって、暗号化されたコンテンツ情報が主情報として記録された光ディスク原盤（スタンパ２５７）が製造される。また、スタンパ２５７には、スタンパ固有情報が示すアドレス位置で、当該アドレス位置に対応する初期値をプリセットすることによって発生させた擬似乱数系列によって暗号鍵情報をスクランブルして、スクランブルした暗号鍵情報のビット値に応じて変調主情報の同期符号パターンを改変することによって第１の副情報が記録される。
【０２５２】
以上のようにして製造された光ディスク原盤に基づいて作成されたスタンパ２５７から転写複製して複数の光ディスク２５８が作成される。そして、第２の副情報記録処理部１６２は、光ディスク１枚毎に異なる第２の副情報を光ディスク２５８に記録する。
【０２５３】
第２の副情報記録処理部１６２は、スタンパ２５７から転写複製された光ディスク２５８に、光ディスク毎に異なる第２の副情報を記録する。第２の副情報記録処理部１６２は、乱数発生部２５９、テーブルノード選択部２６０、暗号化部２６１、第２の副情報生成部２６３及び第２の副情報記録部２６４によって構成される。
【０２５４】
乱数発生部２５９は、日時情報を用いて乱数値を発生させる。発生した乱数はテーブルノード選択部２６０に出力される。
【０２５５】
テーブルノード選択部２６０は、発生した乱数に基づいて、スタンパ固有情報の中から少なくとも１組のアドレス情報と初期値情報との組み合わせを選択する。本実施の形態２では、スタンパ固有情報は、図１５のように全１２通りの組み合わせが記載されているテーブル情報であり、図１５に示すスタンパ固有情報の中から（２）−（ｂ）が選択されている。なお、選択される情報は、スタンパ固有情報が光ディスクに記録されない場合、アドレス情報と初期値情報との組み合わせであり、スタンパ固有情報が光ディスクに記録される場合、スタンパ固有情報に含まれるテーブル情報のポインタ情報である。
【０２５６】
暗号化部２６１は、テーブルノード選択部２６０で選択された少なくとも１組のアドレス情報と初期値情報との組み合わせを示す情報を、内部に秘密に保持する暗号鍵Ｋｍ２６２で暗号化する。暗号化部２６１は、暗号化した情報を第２の副情報生成部２６３に出力する。
【０２５７】
第２の副情報生成部２６３では、暗号化部２６１から入力される暗号化された少なくとも１組のアドレス情報と初期値情報との組み合わせを示す情報をバーコード変調して、第２の副情報を生成する。生成された第２の副情報は第２の副情報記録部２６４に出力される。
【０２５８】
第２の副情報記録部２６４は、バーコード変調された第２の副情報に従って、光ディスク２５８の内周部分にＹａＧレーザ光などの高出力レーザ光を照射して反射膜を除去し、光ディスク２５８の径方向に長いバーコードマークを形成することによって、第２の副情報を記録する。
【０２５９】
以上の構成によれば、主情報と第１の副情報とは凹凸記録マークとしてスタンパ２５７に記録される。そして、スタンパ２５７から転写複製されることによって作成される複数の光ディスク２５８の１枚毎に異なる第２の副情報が生成されて、第２の副情報が、光ディスク２５８の内周部分にバーコードマークとして記録される。これによって、主情報、第１の副情報及び第２の副情報が記録された光ディスク２５８が作成される。
【０２６０】
また、本実施の形態２の第１の副情報は、スタンパ毎に共通のスタンパ固有情報に基づいて暗号化されたコンテンツ情報を再生するために必要な暗号鍵をスクランブルした情報である。
【０２６１】
本実施の形態２のスタンパ固有情報は、暗号鍵をスクランブルして記録するためのアドレス情報と、スクランブルするために必要な擬似乱数系列を発生させるための初期値情報との複数の組み合わせがテーブル形式で記載された情報である。
【０２６２】
また、本実施の形態２の第２の副情報は、テーブル形式のスタンパ固有情報に含まれるアドレス情報と初期値情報との複数の組み合わせの中から、媒体毎に異なる情報として、無作為に選択した１組のアドレス情報と初期値情報とを示す情報である。
【０２６３】
よって、光ディスクから暗号化されたコンテンツ情報を再生する場合、暗号鍵を抽出するために第１の副情報を再生する必要がある。また、第１の副情報を再生するためには、第２の副情報であるアドレス情報と初期値情報とが必要になる。従って、第１の副情報及び第２の副情報のいずれも再生しない情報再生装置を製造したとしても、コンテンツ情報を再生することはできない。
【０２６４】
また、本実施の形態２では、光ディスク毎に異なる第１の副情報を読み出すためのアドレス情報と初期値情報とが第２の副情報として記録され、第１の副情報の読み出しは、たとえ同一のスタンパで作成された光ディスクであっても、異ならしめることが可能となる。これにより、暗号鍵を不正に検出しようとする悪意ある第３者からのアタックに対する耐性を向上させることができ、結果、情報記録媒体に記録されているコンテンツ情報の著作権の保護を強化することが可能となる。
【０２６５】
図１７は、本発明の実施の形態２の第２の副情報のデータ構造の一例を示す図である。
【０２６６】
本実施の形態２の第２の副情報も、実施の形態１で説明した第２の副情報と同様に、光ディスクの内周部分の反射膜を除去することによって、バーコードマークとしてＢＣＡに記録される。
【０２６７】
本実施の形態２でも、図１０で説明したデータ構造と同様に、ＢＣＡには、同期符号ＳＢ２０７とＢＣＡプリアンブル２０６とが記録される。
【０２６８】
また、ＢＣＡには、１２８ビットの暗号化されたディスク識別情報２７１と、暗号化されたディスク識別情報のエラー訂正のための１２８ビットのパリティビット２７２とが記録されている。しかしながら、上述したように、本実施の形態２では、ディスク識別情報は必ずしも必要ではない。
【０２６９】
また、ＢＣＡには、スタンパ固有情報から無作為に選択されるとともに暗号化された開始アドレス２７３と、スタンパ固有情報から無作為に選択されるとともに暗号化された終了アドレス２７４と、スタンパ固有情報から無作為に選択されるとともに暗号化された初期値（キー）２７５とが第２の副情報として記録されている。さらに、ＢＣＡには、アドレス情報（暗号化開始アドレス及び暗号化終了アドレス）及び初期値のエラー訂正のためのパリティビット２７６が記録されている。
【０２７０】
なお、図１７では、第１の副情報を読み出すためのアドレス情報及び初期値を第２の副情報として記録しているが、本発明は特にこれに限定されない。スタンパ固有情報が光ディスクに記録される場合、スタンパ固有情報の中から選択された１組のアドレス情報と初期値との組み合わせを示すポインタ情報と、ポインタ情報のパリティビットとが記録されてもよい。この場合には、テーブル情報を含むスタンパ固有情報を暗号化して、暗号化したスタンパ固有情報を含む主情報を記録することが必要である。
【０２７１】
このようにポインタ情報が記録された場合の再生方法は、まず、ユーザデータ領域からスタンパ固有情報が読み出され、第２の副情報からポインタ情報が読み出され、スタンパ固有情報の中からポインタ情報が示しているアドレス情報と初期値情報とが抽出される。そして、抽出されたアドレス情報と初期値情報とを使用して、第１の副情報が再生される。第２の副情報がポインタ情報である場合にも、光ディスク毎に異なるポインタ情報を指定することが可能となる。この場合にも光ディスク毎に異なる領域から、第１の副情報を読み出すことができる。
【０２７２】
図１８は、図１６の製造装置によって作成された光ディスクからコンテンツ情報を再生する情報再生装置の特徴的な構成を示すブロック図である。
【０２７３】
情報再生装置は、主情報と第１の副情報と第２の副情報とが記録された光ディスク２８１からコンテンツ情報を再生する。情報再生装置は、第２の副情報再生部２８２、復号化部２８３、第１の副情報再生部２８５、データ変換部２８６、主情報再生部２８７及び復号化部２８８によって構成される。
【０２７４】
第２の副情報再生部２８２は、光ディスク２８１の内周部分のバーコードマークにレーザ光を照射し、バーコードマークからの反射光の強度（反射率の変化）に基づいて、バーコード情報を読み出すことによって、第２の副情報を再生する。
【０２７５】
なお、バーコードマークの記録帯域は、主情報が記録された凹凸記録マークの記録帯域から十分に離れている。理想的には、バーコードマークの記録帯域は、凹凸記録マークの一番低い記録帯域の２分の１以下であることが望ましい。この場合、凹凸記録マークの最も低い記録帯域よりも高い記録帯域の通過を制限する低域通過フィルタ（ローパスフィルタ又は広域遮断フィルタ）を情報再生装置に設けることにより、凹凸記録マークの記録帯域を遮断する。これによって、バーコードマークの信号帯域を安定に抽出でき、バーコードマークを安定に再生することができる。
【０２７６】
復号化部２８３は、バーコードマークから再生された第２の副情報を内部に秘密に保持している暗号鍵Ｋｍ２８４によって復号化して、第１の副情報を読み出すためのアドレス情報と初期値情報（キー）とを再生する。なお、復号化部２８３は、図１６の暗号化部２６１で行う暗号化に対応した復号化を行う。第２の副情報を復号化して得たアドレス情報は、第１の副情報再生部２８５に出力され、初期値情報（キー）は、データ変換部２８６に出力される。
【０２７７】
第１の副情報再生部２８５は、凹凸記録マークにレーザ光を照射し、凹凸記録マークからの反射光の強度に基づいて凹凸記録マークを再生し、復号化部２８３によって抽出されたアドレス情報によって特定される光ディスク２８１のアドレスにアクセスする。そして、第１の副情報再生部２８５は、一定間隔毎に付与されている同期符号のうち、セクタ内の第４、８、１２、１６、２０、２４フレームの同期符号が“ＳＹ８”に改変されている場合には、第１の副情報のビット値として“１”を抽出し、同期符号が改変されていない場合には、第１の副情報のビット値として“０”を抽出する。第１の副情報再生部２８５は、抽出したビット値をデータ変換部２８６に出力する。すなわち、セクタ単位で６ビット、ＥＣＣブロック単位で９６ビットの第１の副情報が再生されて、データ変換部２８６に出力される。
【０２７８】
データ変換部２８６は、図１６の擬似乱数系列発生部２５４とスクランブル部２５５とに対応する部分であり、擬似乱数系列発生部２５４と同様のシフトレジスタによって構成される擬似乱数系列発生器を有する。データ変換部２８６は、第１の副情報が検出されるセクタの先頭位置で入力される初期値情報（キー）をシフトレジスタにプリセットして、フレーム単位に１ビットの擬似乱数系列を生成する。また、データ変換部２８６は、生成した擬似乱数系列と、１ビットずつ再生される第１の副情報との排他的論理和を算出することによって、スクランブル部２５５におけるスクランブル処理に対応したデスクランブル処理を実施して、第１の副情報から暗号鍵を生成する。本実施の形態２では、ＥＣＣブロック単位に９６ビットの第１の副情報が繰り返し重畳して記録されている。そのため、第２の副情報で指定された開始アドレスから終了アドレスまでの区間のいずれかのＥＣＣブロックで９６ビットの暗号鍵を再生することができる。
【０２７９】
主情報再生部２８７は、光ディスク２８１の反射膜にレーザ光を照射し、反射膜からの反射光に基づいて凹凸記録マークを検出することにより、主情報（暗号化コンテンツ情報）を再生する。再生した主情報は、復号化部２８８に出力される。
【０２８０】
復号化部２８８は、主情報再生部２８７から入力される主情報を、データ変換部２８６によって生成された暗号鍵によって復号化することによってコンテンツ情報を再生する。
【０２８１】
以上の構成により、情報再生装置は、第２の副情報として記録されている光ディスク毎に異なるアドレス情報と初期値情報とによって、第１の副情報を光ディスク毎に異なる位置から生成する。そして、情報再生装置は、第１の副情報から暗号化されたコンテンツ情報の再生に必要な暗号鍵を生成して、光ディスク２８１に記録されているコンテンツ情報を再生する。
【０２８２】
また、本実施の形態２において、第２の副情報として記録されるアドレス情報と初期値情報とは、スタンパ毎に共通のスタンパ固有情報から選択されており、第１の副情報は、スタンパ固有情報に応じてスクランブルされて記録されている。したがって、第２の副情報としてスタンパ固有情報の中から光ディスク毎に異なるアドレス情報と初期値情報との組み合わせが選択されたとしても、光ディスク毎に異なる記録位置から第２の副情報を生成することによって第１の副情報を再生することができる。
【０２８３】
なお、本実施の形態２では、第１の副情報を再生するためのアドレス情報と初期値情報との組み合わせを第２の副情報として説明したが、これは、スタンパ固有情報であるテーブル情報を光ディスクに記録しない場合に相当する。スタンパ固有情報であるテーブル情報を光ディスクに記録する場合には、スタンパ固有情報のポインタ情報が第２の副情報として記録され、スタンパ固有情報は主情報の一部として記録される。
【０２８４】
従って、スタンパ固有情報であるテーブル情報を光ディスクに記録する場合、情報再生装置は、第１の副情報を読み出す前に、ユーザデータ領域からスタンパ固有情報であるテーブル情報を読み出し、第２の副情報からスタンパ固有情報へのポインタ情報を再生する。これにより、ポインタ情報の示すアドレス位置と初期値とに基づいて第１の副情報を再生することが可能となり、スタンパ固有情報であるテーブル情報を光ディスクに記録しない場合と同様の効果が得られる。
【０２８５】
また、スタンパ固有情報であるテーブル情報を光ディスクに記録する場合、スタンパ固有情報をユーザデータ領域に記録することが必要であるが、記録情報量に限りのある第２の副情報の情報量を大幅に削減することができる。
【０２８６】
また、スタンパ固有情報は、ユーザデータ領域ではなく、第１の副情報と同様に同期符号の改変によって光ディスク原盤（スタンパ）に記録してもよい。すなわち、スタンパ固有情報は、第１の副情報と同様に、主情報に重畳して記録してもよい。
【０２８７】
以上のように、本実施の形態２の情報記録媒体は、暗号化されたコンテンツ情報と、第１の副情報とを記録したスタンパから転写複製され、転写複製された複数の情報記録媒体毎に異なる第２の副情報として、スタンパことに共通のスタンパ固有情報の中から第１の副情報を再生するためのアドレス情報と初期値情報との組み合わせを選択して記録する。よって、たとえ同一のスタンパによって記録されている光ディスクであっても、第１の副情報の読み出し位置は、光ディスク毎に異なる。そのため、第１の副情報として記録している、コンテンツ情報を再生するための暗号鍵を悪意ある第３者が解析する際の困難度は極めて高くなる。従って、記録されているデジタル著作物の著作権の保護を強化することができる。
【０２８８】
（実施の形態３）
本実施の形態３の情報記録媒体、情報記録装置及び情報再生装置に用いられるスタンパ固有情報は、実施の形態２と同様に、アドレス情報と初期値情報との複数の組み合わせを有するテーブル情報である。第１の副情報は、スタンパ固有情報に記載されているアドレス位置に初期値情報をプリセットして発生させる擬似乱数系列によってスクランブルされて記録される。また、第２の副情報は、スタンパ固有情報のテーブルの中から無作為に少なくとも１組のアドレス情報と初期値情報とを選択して記録される。
【０２８９】
ただし、本実施の形態３は、実施の形態２に対して、下記の点で異なる。
【０２９０】
第１に、本実施の形態３のスタンパ固有情報は、アドレス情報と初期値情報との組み合わせを表すテーブル情報（以下、第１のテーブル情報とする）に加えて、各テーブルノードを暗号化するための暗号鍵を表す暗号鍵テーブル情報（以下、第２のテーブル情報とする）をさらに有している。
【０２９１】
第２に、第１の副情報は、スタンパ固有情報のアドレス情報と初期値情報とが記載された第１のテーブル情報のテーブルノード毎に、スタンパ固有情報の第２のテーブル情報の対応する暗号鍵で暗号化された後、主情報の一部として光ディスク原盤（スタンパ）に凹凸記録マークにより記録されている。
【０２９２】
第３に、第２の副情報は、スタンパ固有情報へのポインタ情報だけでなく、スタンパ固有情報に含まれる第２のテーブル情報の対応する暗号鍵を抽出して、ポインタ情報に暗号鍵が付与されて生成される。
【０２９３】
図１９は、本発明の実施の形態３のスタンパ固有情報のデータフォーマットの一例を示す概念図である。図１９（Ａ）は、アドレス情報と初期値情報との組み合わせを表す第１のテーブル情報を示す図であり、図１９（Ｂ）は、各テーブルノードを暗号化するための暗号鍵を表す第２のテーブル情報を示す図である。
【０２９４】
本実施の形態３のスタンパ固有情報は、図１５で説明したスタンパ固有情報とは異なり、アドレス情報と初期値情報との組み合わせを表す第１のテーブル情報に加え、各テーブルノードを暗号化するための暗号鍵を表す第２のテーブル情報（暗号鍵テーブル情報）を含む。
【０２９５】
また、スタンパ固有情報は、暗号化されて主情報の一部として光ディスク原盤（スタンパ）に記録される。また、スタンパ固有情報は、アドレス情報と初期値情報との組み合わせを表す第１のテーブル情報のテーブルノード毎に異なる暗号鍵で暗号化される。第１のテーブル情報の各テーブルノードは、当該テーブルノードに対応付けて記憶されている第２のテーブル情報の鍵情報により暗号化される。
【０２９６】
例えば、図１９（Ａ）の第１のテーブル情報の（１）−（ａ）のテーブルノードでは、記録開始アドレス“０ｘ００１０００００”、記録終了アドレス“０ｘ００２０００００”及び初期値“０ｘ１１１１”という情報が、図１９（Ｂ）の第２のテーブル情報の（１）−（ａ）のテーブルノードの暗号鍵“キー１”によって暗号化されて記録される。
【０２９７】
このように、本実施の形態３のスタンパ固有情報は、アドレス情報と初期値情報との組み合わせを表す第１のテーブル情報と、第１のテーブル情報の各テーブルノードを暗号化するための暗号鍵を表す第２のテーブル情報とで構成される。第１のテーブル情報の各テーブルノードは、第２のテーブル情報に記載された、各テーブルノード対応する暗号鍵によって暗号化され、主情報の一部として記録される。
【０２９８】
なお、本実施の形態３において、スタンパ固有情報のうち、暗号化された第１のテーブル情報のみが主情報の一部として記録され、スタンパ固有情報の第２のテーブル情報は、主情報の一部として記録されない。
【０２９９】
また、本実施の形態３の第２の副情報は、第１のテーブル情報のテーブルノードを示すポインタ情報と、第２のテーブル情報から抽出した、第１のテーブル情報のテーブルノードに対応する暗号鍵情報とを含む。
【０３００】
本実施の形態３はでは、第２の副情報として、第１のテーブル情報から光ディスク毎に無作為に選択するテーブルノードとして図１９（Ａ）の（２）−（ｂ）が選択された場合を示している。この場合、第２の副情報において、（２）−（ｂ）というテーブルノードで示される第１のテーブル情報のポインタ情報には、第１のテーブル情報と同一のスタンパ固有情報である第２のテーブル情報から、（２）−（ｂ）のテーブルノードに対応する暗号鍵“キー６”が付与される。
【０３０１】
本例における第１の副情報、第２の副情報及び主情報の再生方法では、ユーザデータ領域から暗号化されている、スタンパ固有情報である第１のテーブル情報が読み出される。
【０３０２】
また、情報再生装置は、第２の副情報から、スタンパ固有情報のテーブルノード“（２）−（ｂ）”を示すポインタ情報を読み出すとともに、暗号化された第１のテーブル情報のテーブルノード“（２）−（ｂ）”を復号化する為の暗号鍵“キー６”を読み出す。よって、情報再生装置は、主情報の一部として記録されている第１のテーブル情報のテーブルノード“（２）−（ｂ）”を復号することができる。そして、情報再生装置は、第１の副情報を再生するためのアドレス情報と初期値情報とを抽出して、第１の副情報を再生することが可能となる。結果、記録されている暗号化コンテンツ情報の再生が可能となる。
【０３０３】
以上の構成によれば、アドレス情報と初期値情報との組み合わせを表す暗号化した第１のテーブル情報を主情報の一部として記録した場合でも、情報再生装置では、第１のテーブル情報の中から、光ディスク毎に固有なテーブルノードしか復号できない構成となり、悪意ある者による解析に対する耐性を向上させることができる。
【０３０４】
また、光ディスクは、第２の副情報としてスタンパ固有情報へのポインタ情報に加え、当該ポインタ情報によって特定されるテーブルノードに対応する暗号鍵情報を記録している。そのため、情報再生装置は、第１のテーブル情報の全テーブルノードに対して復号化をトライするのではなく、光ディスク毎に固有に指定されたテーブルノードのみを復号化すればよいので、第１の副情報へのアクセス時間が軽減できる。
【０３０５】
図２０は、本発明の実施の形態３の情報記録媒体を製造する製造装置の特徴的な構成を示すブロック図である。本実施の形態３における製造装置は、実施の形態２の図１６で説明した製造装置の改良であり、同一の動作をするブロックには同じ符号をつけて、本実施の形態３での詳細な説明を省略する。
【０３０６】
本実施の形態３の情報記録媒体を製造する製造装置は、スタンパ固有情報を主情報の一部として光ディスク原盤（スタンパ２５７）に記録するスタンパ固有情報記録部２９０をさらに有している。なお、本実施の形態３のスタンパ固有情報は、図１９（Ａ）及び図１９（Ｂ）で説明したように、第１の副情報を記録するために用いられる第１のテーブル情報と第２のテーブル情報とを含む情報である。
【０３０７】
スタンパ固有情報記録部２９０は、光ディスク原盤（スタンパ２５７）にスタンパ固有情報を記録する。スタンパ固有情報記録部２９０は、テーブルノード暗号化部２９１及び主情報記録部２９２から構成される。
【０３０８】
テーブルノード暗号化部２９１は、スタンパ固有情報に含まれる第１のテーブル情報（図１９（Ａ））と第２のテーブル情報（図１９（Ｂ））とが入力され、第１のテーブル情報の各テーブルノードを、各テーブルノードに対応する第２のテーブル情報の暗号鍵で暗号化することによって、暗号化された第１のテーブル情報を生成する。テーブルノード暗号化部２９１は、生成した暗号化第１のテーブル情報を主情報記録部２９２に出力する。すなわち、図１９（Ａ）における第１のテーブル情報の（１）−（ａ）のテーブルノードは、図１９（Ｂ）における第２のテーブル情報の（１）−（ａ）の暗号鍵で暗号化され、同様に全１２のテーブルノードがそれぞれ異なる暗号鍵で暗号化される。
【０３０９】
主情報記録部２９２は、テーブルノード暗号化部２９１から入力される暗号化された第１のテーブル情報を主情報の一部として光ディスク原盤（スタンパ２５７）に記録する。主情報記録部２９２は、暗号化された第１のテーブル情報に変調部２５２と同様の変調を施す。そして、主情報記録部２９２は、変調された情報に基づいて、レーザ光を光ディスク原盤に照射して凹凸記録マークを形成することによって、暗号化された第１のテーブル情報を記録する。
【０３１０】
なお、第１のテーブル情報は、主情報のアドレス情報に基づいてあらかじめ決められたアドレス位置に記録される。また、主情報記録部２９２における第１のテーブル情報を変調するための変調フォーマットは、変調部２５２におけるコンテンツ情報を変調するための変調フォーマットと異なる変調フォーマットでもよい。この場合、主情報記録部２９２における変調方式を知らない場合、第１のテーブル情報を再生することができなくなり、セキュリティが向上する。
【０３１１】
また、情報記録媒体を製造する製造装置における第２の副情報記録処理部１６３のテーブルノード選択部２９３は、図１６で説明したテーブルノード選択部２６０とは異なり、スタンパ固有情報である第１のテーブル情報及び第２のテーブル情報が入力され、第１のテーブル情報の中から無作為に１のテーブルノードを選択するとともに、選択したテーブルノードに対応する暗号鍵情報を第２のテーブル情報の中から選択する。そして、テーブルノード選択部２９３は、選択したポインタ情報と、選択した暗号鍵情報とを暗号化部２６１に出力する。暗号化部２６１は、テーブルノード選択部２９３によって選択されたポインタ情報及び暗号鍵情報を暗号化し、第２の副情報生成部２６３は、暗号化されたポインタ情報及び暗号鍵情報をバーコード変調することにより、第２の副情報を生成する。
【０３１２】
図２１は、図２０の製造装置によって作成された光ディスクからコンテンツ情報を再生する情報再生装置の特徴的な構成を示すブロック図である。本実施の形態３における情報再生装置は、実施の形態２の図１８で説明した情報再生装置の改良であり、同一の動作をするブロックには同じ符号をつけて、本実施の形態３での詳細な説明を省略する。
【０３１３】
本実施の形態３の情報再生装置は、図１８の情報再生装置に比べ、テーブルノード復号化部２８９を有している点で異なる。
【０３１４】
復号化部２８３は、第２の副情報再生部２８２によって再生された第２の副情報を復号化し、スタンパ固有情報のポインタ情報と暗号鍵情報とを抽出し、抽出したポインタ情報と暗号鍵情報とをテーブルノード復号化部２８９に出力する。
【０３１５】
また、情報再生装置の主情報再生部２８７は、あらかじめ定められたアドレス位置から暗号化された第１のテーブル情報を再生して、再生した暗号化された第１のテーブル情報をテーブルノード復号化部２８９に出力する。
【０３１６】
テーブルノード復号化部２８９は、第２の副情報を再生して得たポインタ情報に基づいて暗号化された第１のテーブル情報のテーブルノードを選択して、第２の副情報を再生して得た暗号鍵情報にて選択したテーブルノードを復号化することによって、第１の副情報を再生するためのアドレス情報と初期値情報とを抽出する。
【０３１７】
第１の副情報再生部２８５は、テーブルノード復号化部２８９によって抽出されたアドレス情報に基づいて光ディスク２８１にアクセスして、第１の副情報を再生する。データ変換部２８６は、テーブルノード復号化部２８９によって抽出された初期値情報に基づいて発生させた擬似乱数系列によって、第１の副情報をデスクランブルして、第１の副情報からコンテンツ情報を再生するために必要な暗号鍵情報を抽出する。復号化部２８８は、データ変換部２８６によって抽出された暗号鍵情報を用いて、暗号化されたコンテンツ情報を再生する。
【０３１８】
以上の構成によれば、実施の形態２と同様に、スタンパから転写複製されて作成されるＲＯＭ型情報記録媒体（光ディスク）であったとしても、光ディスクに固有の第２の副情報を光ディスクに記録することによって、光ディスク毎に異なる記録位置から第１の副情報を再生することができる。
【０３１９】
また、本実施の形態３では、第２の副情報としてポインタ情報及び暗号鍵情報のみが記録されるので、アドレス情報及び初期値情報をそのまま第２の副情報として記録する場合に比べて、情報量の制限された第２の副情報を効率的に記録することができる。
【０３２０】
また、本実施の形態３では、第１のテーブル情報はコンテンツ情報と共に主情報として記録されるが、光ディスクは、第１のテーブル情報の全てのテーブルノードを復号するための暗号鍵情報を持たず、情報再生装置は、第２の副情報で指定されたテーブルノードのみを再生することができ、第１のテーブル情報を解析しようとする悪意ある者からのアタックに対する耐性を向上させることが可能となる。
【０３２１】
また、第２の副情報は、アドレス情報と初期値情報との組み合わせを表す第１のテーブル情報のポインタ情報を含むので、情報再生装置は、第１のテーブル情報の全てのテーブルノードを、第２の副情報で指定された暗号鍵で復号できるか否かの確認を行わなくてもよい。そのため、第１の副情報の再生時間を短縮することが可能となる。
【０３２２】
なお、実施の形態１及び実施の形態２では、第１の副情報の記録方法として、フレーム毎に付与する同期符号のパターンを改変する方法について説明したが、本発明は特にこれに限られない。第１の副情報は、スタンパ毎に共通に記録できて、かつ、主情報を示す通常の再生データには存在しない方法で記録することが重要である。例えば、凹凸記録マークをタンジェンシャル方向又はラジアル方向に微小に変形させたり、凹凸記録マークをタンジェンシャル方向又はラジアル方向に微小に変位させたりして記録する方法がある（例えば、特開２００１―３５７５３３公報参照）。
【０３２３】
これらの場合にも、第１の副情報は、通常の主情報の再生信号には現れず、再生信号をそのままコピーしたとしても第１の副情報は複製されることはない。また、ラジアル方向に凹凸記録マークを変位させた場合には、第１の副情報は凹凸記録マークの径方向の揺らぎとして観測され、タンジェンシャル方向に凹凸記録マークを変位させた場合、すなわち、タンジェンシャル方向に凹凸記録マークのエッジをシフトさせた場合には、第１の副情報はジッタとして観測される。そのため、信号検出又は電子顕微鏡による観察でも第１の副情報の存在を確認することが困難となり、暗号鍵を表す第１の副情報のセキュリティは格段に向上する。
【０３２４】
このように、凹凸記録マークの位置をタンジェンシャル方向又はラジアル方向に変化させること、又は凹凸記録マークの形状をタンジェンシャル方向又はラジアル方向に変形させることにより、第１の副情報を記録する場合にも、同期符号のパターンを改変することによって第１の副情報を記録する場合と同様に、暗号鍵情報と擬似乱数系列との排他的論理和を算出することによって暗号鍵がスクランブルされて記録される。実施の形態１及び実施の形態２で説明したように同期符号のパターンを改変することと、凹凸記録マークのエッジを微小量シフトさせること、すなわち凹凸記録マークを変形させることと、凹凸記録マークをラジアル方向に微小量変位させることとは、スクランブルした暗号鍵をどのように記録するかの違いである。したがって、これらの記録方法は全て本発明の範疇である。
【０３２５】
なお、実施の形態１及び実施の形態２では、光ディスクの内周部分の反射膜を除去して当該反射膜の反射率を変化させることによって形成したバーコードマークを用いて第２の副情報を記録する方法について説明しているがこれに限られない。第２の副情報の記録方法は、スタンパから転写して金属膜などの反射膜を形成して作成される光ディスク毎に固有の情報を記録できる方法であればどのような方法であってもかまわない。
【０３２６】
例えば、特開２００８−２６９７６３公報に開示されているように、凹凸記録マークにトラッキングしながら記録レベルのレーザ光を照射することによって、凹凸記録マーク上の反射膜の反射率を変化させた反射率マークを形成することによって、第２の副情報を記録してもよい。従って、本発明における第２の副情報の記録方法は、スタンパによって凹凸記録マークを転写複製した後、反射膜を形成して作成される光ディスクに対して、レーザ光を照射して反射膜の反射率を変化させることで、媒体毎に固有の情報を記録する方法であってもよい。このような第２の副情報の記録方法も本発明の範疇である。
【０３２７】
（実施の形態４）
次に、本発明の実施の形態４に係る情報記録媒体、情報記録装置及び情報再生装置について詳細に説明する。
【０３２８】
本実施の形態４は、暗号化されたコンテンツ情報を復号化するための暗号鍵が第１の副情報として記録されている点、及び、第１の副情報が、スタンパへの記録時（光ディスク原盤の作成時）に主情報に重畳されて記録されている点は、前述の実施の形態１〜３と共通である。
【０３２９】
ただし、本実施の形態４は、ディスク識別情報及びスタンパ固有情報がともに第２の副情報として、光ディスクの成形後に記録される点、第１の副情報が、スタンパに記録される凹凸記録マークのマークエッジの位相変位によって記録される点、及び、第２の副情報が、光ディスクの成型後、凹凸記録マーク上の反射膜にレーザ光を照射して反射膜の反射率を変化させることによって記録されている点が、前述の実施の形態１〜３と異なる。
【０３３０】
図２２は、本発明の実施の形態４における情報記録再生システムの構成を示すブロック図である。
【０３３１】
本実施の形態４における情報記録再生システムは、光ディスクの原盤（スタンパ４１’）を作成するマスタリング装置４２と、マスタリング装置４２で作成したスタンパ４１’から転写して反射膜を蒸着した光ディスク４１に対してディスク識別情報とスタンパ固有情報とを記録する情報記録装置４３と、暗号化されたコンテンツ情報が記録された光ディスク４１を再生する情報再生装置４４とから構成される。
【０３３２】
マスタリング装置４２は、凹凸記録マークを形成することにより、暗号化されたコンテンツ情報（主情報）と暗号化された副情報管理情報とを記録するとともに、凹凸記録マークのマークエッジの位相を変位させることにより、暗号化されたコンテンツ情報を復号化するための暗号鍵を第１の副情報として記録する。
【０３３３】
マスタリング装置４２は、コンテンツ暗号化部４５、主情報記録部４６、副情報管理情報暗号化部４７、副情報管理情報記録部４８、スクランブル部４９及び第１の副情報記録部５０を備える。
【０３３４】
コンテンツ暗号化部４５は、ＤＥＳ（Ｄａｔａ  Ｅｎｃｒｙｐｔｉｏｎ  Ｓｔａｎｄａｒｄ）又はＡＥＳ（Ａｄｖａｎｃｅｄ  Ｅｎｃｒｙｐｔｉｏｎ  Ｓｔａｎｄａｒｄ）などの共通鍵アルゴリズムに基づいて、スタンパ４１’に記録されるコンテンツ情報を、入力される暗号鍵を用いて暗号化する。
【０３３５】
主情報記録部４６は、コンテンツ暗号化部４５によって暗号化されたコンテンツ情報を主情報として、スタンパ４１’のユーザデータ領域７１’（光ディスク４１のユーザデータ領域７１）に記録する。主情報記録部４６は、記録する光ディスク４１のフォーマットに応じて、暗号化されたコンテンツ情報をエラー訂正符号化し、暗号化されたコンテンツ情報を変調し、暗号化されたコンテンツ情報にアドレスを付与する。そして、主情報記録部４６は、変調した信号に応じて、光ディスク原盤（スタンパ４１’）にレーザ光を照射することによって、凹凸記録マークを光ディスク原盤（スタンパ４１’）に形成する。これにより、主情報がスタンパ４１’に記録される。
【０３３６】
副情報管理情報暗号化部４７は、コンテンツ情報と同様に、副情報管理情報を暗号化する。副情報管理情報記録部４８は、副情報管理情報暗号化部４７によって暗号化された副情報管理情報をスタンパ４１’のリードイン（Ｌｅａｄ−Ｉｎ）領域７２’（光ディスク４１のリードイン領域７２）に記録する。
【０３３７】
ただし、副情報管理情報の暗号化は、コンテンツ情報を暗号化するための暗号鍵とは異なる秘密鍵で暗号化される。また、コンテンツ情報を暗号化するアルゴリズムと副情報管理情報を暗号化するアルゴリズムとは、同じであっても、異なってもかまわない。また、コンテンツ情報を暗号化する暗号鍵は、スタンパ毎に共通の鍵情報であるのに対して、副情報管理情報を暗号化するための秘密鍵は、全てのスタンパで共通の鍵情報である。また、副情報管理情報は、光ディスクの内周部分のコントロールデータ領域であるリードイン領域７２に記録される。
【０３３８】
図２３は、本発明の実施の形態４に係る副情報管理情報の一例を示す図である。本実施の形態４に係る副情報管理情報３７０は、第２の副情報として記録するディスク識別情報をスクランブルするためのスクランブル初期値３７１と、ディスク識別情報の記録位置を表す記録アドレス３７２と、第２の副情報として記録するスタンパ固有情報の記録位置を表す記録アドレス３７３と、第１の副情報として記録される暗号鍵情報の記録位置を表す記録アドレス３７４とを含む。
【０３３９】
副情報管理情報３７０は、スクランブル初期値３７１、ディスク識別情報の記録アドレス３７２、スタンパ固有情報の記録アドレス３７３及び暗号鍵情報の記録アドレス３７４を１セットの副情報ブロック情報３７５として含む。副情報管理情報３７０は、光ディスクに記録される回数分だけ副情報ブロック情報３７５を記載しているテーブル情報である。本実施の形態４では、光ディスクの内周部分のコントロールデータ領域であるリードイン領域に、同一内容のディスク識別情報、スタンパ固有情報及び暗号鍵情報のセットが冗長的に２回、異なるアドレスに記録される。そのため、この場合は、副情報管理情報３７０には、２つの副情報ブロック情報３７５が記載されている。
【０３４０】
次に、スクランブル部４９は、ユーザデータ領域に記録される暗号化されたコンテンツ情報を復号化するための暗号鍵情報を、スタンパ固有情報に基づいた初期値をプリセットして発生させる擬似乱数系列によってスクランブルする。第１の副情報記録部５０は、スクランブル部４９によってスクランブルされた暗号鍵情報を第１の副情報としてスタンパ４１’の第１の副情報記録領域７３’（光ディスク４１の第１の副情報記録領域７３）に記録する。
【０３４１】
本実施の形態４の第１の副情報記録部５０は、主情報の記録動作中に、記録する主情報のアドレスが副情報管理情報の暗号鍵情報の記録アドレス３７４に到達したとき、擬似乱数系列でスクランブルされたスクランブル暗号鍵情報のビット値に応じて、主情報を記録する記録マークエッジを意図的に進ませる、あるいは遅らせることによって記録マークエッジの位相変調を行って、第１の副情報を記録する。
【０３４２】
次に、情報記録装置４３について説明する。情報記録装置４３は、マスタリング装置４２によって製造されたスタンパ４１’から転写されて作成された光ディスク毎に、ディスク識別情報とスタンパ固有情報とを第２の副情報として記録する。
【０３４３】
なお、本実施の形態４における情報記録再生システムは、マスタリング装置４２によって作成されたスタンパ４１’から光ディスク４１を複製するデュプリケーション装置を備えるが、図２２では省略している。
【０３４４】
情報記録装置４３は、スクランブル部５１、媒体識別情報記録部５２、スクランブル部５３及び媒体固有情報記録部５４を備える。
【０３４５】
スクランブル部５１は、副情報管理情報に記載されているディスク識別情報のスクランブル初期値３７１を擬似乱数系列発生器にプリセットして発生させた擬似乱数系列を用いて、記録するディスク識別情報をスクランブルする。なお、擬似乱数系列発生器は、スクランブル部５１に内蔵されている。
【０３４６】
媒体識別情報記録部５２は、副情報管理情報に記載されたディスク識別情報の記録アドレス３７２に基づいて、光ディスク４１にアクセスし、アクセスした記録アドレス３７２からスクランブルされたディスク識別情報を記録する。媒体識別情報記録部５２は、スクランブルされたディスク識別情報のビット値に応じて、強度を変化させたレーザ光を光ディスク４１に照射し、凹凸記録マーク上の反射膜の反射率を変化させることによって、スクランブルされたディスク識別情報を第２の副情報として光ディスク４１に追記する。
【０３４７】
スクランブル部５３は、ディスク識別情報を初期値として擬似乱数系列発生器にプリセットして発生させた擬似乱数系列を用いて、スタンパ固有情報をスクランブルする。なお、擬似乱数系列発生器は、スクランブル部５３に内蔵されている。
【０３４８】
媒体固有情報記録部５４は、副情報管理情報に記載されたスタンパ固有情報の記録アドレス３７３に基づいて、光ディスク４１にアクセスし、アクセスした記録アドレス３７３からスクランブルされたスタンパ固有情報を記録する。媒体固有情報記録部５４は、スクランブルされたスタンパ固有情報のビット値に応じて、強度を変化させたレーザ光を光ディスク４１に照射し、凹凸記録マーク上の反射膜の反射率を変化させることによって、スクランブルされたスタンパ固有情報を第２の副情報として光ディスク４１に追記する。
【０３４９】
次に、本実施の形態４において、光ディスク４１からコンテンツ情報を再生する情報再生装置４４について説明する。
【０３５０】
情報再生装置４４は、副情報管理情報再生部５５、副情報管理情報復号化部５６、媒体識別情報再生部５７、デスクランブル部５８、媒体固有情報再生部５９、デスクランブル部６０、第１の副情報再生部６１、デスクランブル部６２、主情報再生部６３及び復号化部６４を備える。
【０３５１】
副情報管理情報再生部５５は、光ディスク４１の再生起動後、光ディスク４１の内周部分のコントロールデータ領域であるリードイン領域７２にアクセスして、凹凸記録マーク上にレーザ光を照射し、凹凸記録マークに対応する反射膜からの反射光の強度の変化に基づいて、暗号化された副情報管理情報を再生する。
【０３５２】
副情報管理情報復号化部５６は、情報再生装置４４の中に秘密に持っている秘密鍵を用いて、暗号化された副情報管理情報を復号化する。秘密鍵は、情報再生装置４４を構成するＬＳＩ（Ｌａｒｇｅ  Ｓｃａｌｅ  Ｉｎｔｅｇｒａｔｉｏｎ）の内部に埋め込むなど、外部から観測されない形態で隠し持っている。なお、副情報管理情報復号化部５６で用いられる秘密鍵は、マスタリング装置４２の副情報管理情報暗号化部４７で用いられる秘密鍵と同じである。
【０３５３】
媒体識別情報再生部５７は、副情報管理情報復号化部５６によって副情報管理情報が復号化されると、復号化された副情報管理情報を参照して、副情報管理情報に記載されているディスク識別情報の記録アドレス３７２にアクセスする。媒体識別情報再生部５７は、光ディスク４１にレーザ光を照射し、反射膜の反射率を変化させていることによる反射光の強度の変化を観測することによって、スクランブルされたディスク識別情報（第２の副情報）を再生する。なお、反射膜の反射率を変化させていることによる反射光の強度の変化は、凹凸記録マークによる反射光レベルの変動に対して小さい。
【０３５４】
デスクランブル部５８は、副情報管理情報復号化部５６によって復号化された副情報管理情報に記載されているディスク識別情報のスクランブル初期値３７１を擬似乱数系列発生器にプリセットして発生させた擬似乱数系列を用いて、媒体識別情報再生部５７によって再生されたスクランブルされたディスク識別情報をデスクランブルして、ディスク識別情報を抽出する。なお、擬似乱数系列発生器は、デスクランブル部５８に内蔵されている。
【０３５５】
媒体固有情報再生部５９は、復号化された副情報管理情報を参照して、副情報管理情報に記載されているスタンパ固有情報の記録アドレス３７３にアクセスする。媒体固有情報再生部５９は、光ディスク４１にレーザ光を照射し、反射膜の反射率を変化させていることによる反射光の強度の変化を観測することによって、スクランブルされたスタンパ固有情報（第２の副情報）を再生する。なお、反射膜の反射率を変化させていることによる反射光の強度の変化は、凹凸記録マークによる反射光レベルの変動に対して小さい。
【０３５６】
デスクランブル部６０は、デスクランブル部５８によって抽出されたディスク識別情報を初期値として擬似乱数系列発生器にプリセットして発生させた擬似乱数系列を用いて、媒体固有情報再生部５９によって再生されたスクランブルされたスタンパ固有情報をデスクランブルして、スタンパ固有情報を抽出する。なお、擬似乱数系列発生器は、デスクランブル部６０に内蔵されている。
【０３５７】
第１の副情報再生部６１は、復号化された副情報管理情報を参照して、副情報管理情報に記載されている暗号鍵情報の記録アドレス３７４にアクセスする。第１の副情報再生部６１は、光ディスク４１にレーザ光を照射し、凹凸記録マークエッジの位相変位を観測することによって、スクランブルされた暗号鍵情報（第１の副情報）を再生する。
【０３５８】
デスクランブル部６２は、デスクランブル部６０によって抽出されたスクランブル固有情報を初期値として擬似乱数系列発生器にプリセットして発生させた擬似乱数系列を用いて、第１の副情報再生部６１によって再生されたスクランブルされた暗号鍵情報をデスクランブルして、暗号鍵情報を抽出する。なお、擬似乱数系列発生器は、デスクランブル部６２に内蔵されている。
【０３５９】
主情報再生部６３は、光ディスク４１のユーザデータ領域７１に凹凸記録マークで記録されている暗号化されたコンテンツ情報を再生する。復号化部６４は、デスクランブル部６２によって抽出された暗号鍵情報を用いて、主情報再生部６３によって再生された暗号化されたコンテンツ情報を復号化する。これによって、コンテンツ情報が再生される。
【０３６０】
以上のようなマスタリング装置４２、情報記録装置４３及び情報再生装置４４を用いることによって、スタンパ４１’から複製することによって製造される光ディスク４１であっても、追記される光ディスク毎にユニークなディスク識別情報を再生しなければ、暗号化されたコンテンツ情報を復号化するための暗号鍵が再生できない。そのため、記録されるコンテンツ情報の不正な複製に対する耐性が向上し、強固な著作権の保護を行うことによって、光ディスクの健全な流通に貢献することができる。
【０３６１】
図２４は、本発明の実施の形態４における光ディスクの記録領域を示す概念図であり、図２５は、主情報、第１の副情報及び第２の副情報の光ディスクにおける記録フォーマットを示す図である。
【０３６２】
図２４に示すように、本実施の形態４の光ディスク３００は、光ディスク３００の内周側のコントロールデータ領域であるリードイン領域３０１と、ユーザデータ領域３０２と、光ディスク３００の外周側のコントロールデータ領域であるリードアウト（Ｌｅａｄ−Ｏｕｔ）領域３０３とで構成される。
【０３６３】
リードイン領域３０１には、主に、光ディスク３００の再生に必要なディスク管理情報及び暗号化された副情報管理情報が記録される。ユーザデータ領域３０２には、主に暗号化されたコンテンツ情報が記録される。リードアウト領域３０３には、主に光ディスク３００の再生に必要なディスク管理情報が記録される。
【０３６４】
図２５は、本実施の形態４の光ディスク３００のリードイン領域３０１の記録フォーマットである。リードイン領域３０１には、凹凸記録マークによって記録される主情報、反射膜の反射率変化によって記録される第２の副情報、及び凹凸記録マークのマークエッジの位相変位によって記録される第１の副情報が記録されている。図２５の縦軸方向は、光ディスク３００の円周方向の記録位置を示しており、図２５の上方向が光ディスク３００の内周方向、図２５の下方向が光ディスク３００の外周方向を示している。従って、光ディスク３００から情報を再生する際のレーザ光の照射位置は、図２５の上方から下方に移動して情報が再生される。
【０３６５】
クランプ領域３０４は、光ディスク３００を回転テーブルに移動させる際に固定する部分である。クランプ領域３０４には、情報は記録されていない。クランプ領域３０４は、光ディスク３００の最内周に位置する。
【０３６６】
リードイン領域３０１の最内周部分には、ディスク管理情報３０５が、凹凸記録マークによって記録されている。ディスク管理情報３０５は、光ディスク３００の種類を表す種別情報、主情報の記憶容量、及び主情報の最終アドレス位置などを含む。
【０３６７】
ディスク管理情報３０５が記録されている位置より外周側には、暗号化された副情報管理情報３０６が、凹凸記録マークによって記録されている。副情報管理情報３０６は、図２３に示す内容の情報が暗号化されて記録されている。
【０３６８】
また、ディスク管理情報３０５と副情報管理情報３０６とは、異なる半径位置に冗長的に複数回（本実施の形態４では例えば２回）記録されている。これにより、例えば、一方のディスク管理情報及び副情報管理情報が指紋、汚れ又は傷などによって読み出し不可能になっても、他方のディスク管理情報及び副情報管理情報を読み出すことができ、システムが破綻することなく堅牢性を保つことができる。
【０３６９】
また、リードイン領域３０１において、一方のディスク管理情報及び副情報管理情報と、他方のディスク管理情報及び副情報管理情報との間には、特に意味を有しないダミー情報が凹凸記録マークで記録されている。なお、本実施の形態４ではダミー情報が記録されているが、本発明は特これに限定されない。ディスク管理情報及び副情報管理情報以外の管理情報、又は不正な装置を排除するための機器無効化情報などを記録してもよい。一方のディスク管理情報及び副情報管理情報と、他方のディスク管理情報及び副情報管理情報との間に記録される情報が、ダミー情報又はダミー情報以外の情報であったとしても、連続して凹凸記録マークが形成されていれば、どのような情報がリードイン領域３０１に記録されていてもかまわない。
【０３７０】
また、副情報管理情報３０６が記録されている位置より外周側には、スクランブルされたディスク識別情報３０７が、第２の副情報として記録されている。さらに、ディスク識別情報３０７が記録されている位置より外周側には、スクランブルされたスタンパ固有情報３０８が、第２の副情報として記録されている。第２の副情報は、凹凸記録マーク上を被覆する反射膜にレーザ光を照射し、反射膜の反射率を変化させることによって記録される。よって、第２の副情報が記録されている領域（リードイン領域３０１）には、副情報管理情報と第２の副情報とが記録されている。
【０３７１】
なお、本実施の形態４では、第２の副情報をリードイン領域３０１に記録しているが、本発明は特にこれに限定されず、ユーザデータ領域３０２又はリードアウト領域３０３に記録してもよい。
【０３７２】
また、スタンパ固有情報３０８が記録されている位置より外周側には、スクランブルされた暗号鍵情報３０９が、第１の副情報として記録されている。
【０３７３】
本実施の形態４では、暗号化されたコンテンツ情報を復号化するためには、第１の副情報として記録される暗号鍵情報が必要となる。また、暗号鍵情報はスクランブルされているので、暗号鍵情報をデスクランブルするためには、第２の副情報として記録されるスタンパ固有情報が必要となる。同様に、スタンパ固有情報はスクランブルされており、スタンパ固有情報をデスクランブルするためには、ディスク識別情報が必要となる。同様に、ディスク識別情報はスクランブルされているので、ディスク識別情報をデスクランブルするためには、副情報管理情報に記載されているディスク識別情報のスクランブル初期値が必要となる。
【０３７４】
従って、本実施の形態４の情報再生装置は、再生時において、副情報管理情報、ディスク識別情報、スタンパ固有情報、及び暗号鍵情報を順に読み出す必要がある。
【０３７５】
本実施の形態４の光ディスク３００は、図２５に示すように、光ディスク３００の内周側から順番に副情報管理情報、ディスク識別情報、スタンパ固有情報、及び暗号鍵情報が記録されている。そのため、これらの情報を読み出す際に、光学ヘッドの移動を極力少なくすることができ、高速にアクセスすることが可能となる。
【０３７６】
次に、本実施の形態４における第２の副情報の記録形態についてさらに詳細に説明する。
【０３７７】
図２６は、本発明の実施の形態４に係る光ディスクの構造を示す概念図である。
【０３７８】
本実施の形態４に係る光ディスク３００は、スタンパから凹凸記録マークＭＫが転写された光ディスク基板１Ｐ、コンテンツ情報などの主情報を記録した凹凸記録マークＭＫ、レーザ照射によって反射率が変化する反射膜１Ｌ、及び光ディスク形成後にレーザ照射によって反射膜１Ｌの反射率を変化させることによって第２の副情報を記録した追記マークＳＭＫで構成される。
【０３７９】
光ディスク基板１Ｐは、例えばポリカーボネート樹脂などによって構成され、スタンパから凹凸記録マークＭＫが転写される。
【０３８０】
凹凸記録マークＭＫは、スタンパから転写され、主に、光ディスク３００に記録されるコンテンツ情報、ディスク管理情報及び副情報管理情報が記録される。また、凹凸記録マークＭＫは、通常の再生専用メディアであるＤＶＤ−ＲＯＭやＢｌｕ−ｒａｙＲＯＭと同様に形成され、８−１６変調方式又は１７ｐｐ変調方式などを用いて変調された情報が記録されている。
【０３８１】
反射膜１Ｌは、凹凸記録マークＭＫが転写された光ディスク基板１Ｐ上に蒸着され、一定強度以上のレーザ照射によって反射率が変化する。また、反射膜１Ｌは、一定強度以上のレーザ照射によって不可逆的に反射率が変化するライトワンス膜で構成される。通常の再生専用メディアでは、反射膜として、アルミニウムや銀材料を用いたものが適用される。また、ライトワンス膜は、一定強度以上のレーザ照射によって反射率が向上するＬｔｏＨ（Ｌｏｗ  ｔｏ  Ｈｉｇｈ）膜を用いることが望ましい。なぜなら、通常の再生専用メディアの金属反射膜では、一定強度以上のレーザ照射によって、反射率が劣化する。したがって、意図的にＬｔｏＨ膜を用いることにより、反射率を高くすることによって記録されている追記マークＳＭＫを通常の再生専用メディアへ複写することが困難となる。そのため、追記マークＳＭＫで著作権保護情報などを記録する場合には、不正複製への耐性が劇的に向上する。
【０３８２】
光ディスク３００は、光ディスク基板１Ｐに凹凸記録マークＭＫを転写後、反射膜１Ｌを蒸着し、保護膜を付与することにより成型される。追記マークＳＭＫは、光ディスク３００の成型後、凹凸記録マークＭＫにトラッキング制御を行い、凹凸記録マークトラックのほぼ真上にレーザ照射を行い、ＬｔｏＨ膜で構成される反射膜１Ｌの反射率を上げることによって形成される。追記マークＳＭＫによって第２の副情報が記録される。
【０３８３】
光ディスク３００の内周側のリードイン領域には、レーザ光を照射することによって再生可能な管理情報、著作権情報又は物理特性情報などが記録されている。
【０３８４】
これらの管理情報、著作権情報又は物理特性情報を転写して光ディスクを成形した後、レーザ光を照射することによって局所的に反射膜１Ｌの反射率を変化させる。これにより、追記マークＳＭＫが光ディスク３００に形成され、ディスク識別情報及びスタンパ固有情報が第２の副情報として重畳記録される。
【０３８５】
図２６に示す追記マークＳＭＫは、凹凸記録マークＭＫが形成されているトラック上にレーザ照射を行うことによって形成されている。また、追記マークＳＭＫを記録することによる反射光レベルの変動は、凹凸記録マークＭＫの反射光レベルと、凹凸記録マークＭＫ以外のミラー部の反射光レベルとの差の半分以下にすることが好ましい。この場合、凹凸記録マークＭＫの再生信号のエッジ位置を誤って再生することがなくなるので、凹凸記録マークＭＫの再生精度に影響を与えない。
【０３８６】
また、追記マークＳＭＫの記録帯域は、凹凸記録マークＭＫの最長マークの記録帯域より低いことが好ましい。これにより、再生時に帯域制限回路（フィルタ）によって、凹凸記録マークに基づく信号と、追記マークに基づく信号とを分離することが可能となり、互いの再生精度を確保することができる。
【０３８７】
次に、本実施の形態４における第１の副情報の記録形態についてさらに詳細に説明する。
【０３８８】
図２６に示すように、スクランブルされた暗号鍵情報を記録する場合において形成された凹凸記録マークＭＫのトラック方向における２つのエッジそれぞれの位置は、スクランブルされた暗号鍵情報を記録しない場合に形成される凹凸記録マークＭＫのエッジ位置に対して、一定の微少時間に相当する変位量だけ位相が進んだ（又は遅れた）位置にずれて形成されている。
【０３８９】
通常のスクランブルされた暗号鍵情報を記録しない場合に形成される凹凸記録マークＭＫのエッジ位置も、誤差成分によって微少量進んだ位置や遅れた位置にランダムに形成される。このエッジ位置の揺らぎをジッタという。よって、本実施の形態４の光ディスク３００のように第１の副情報を記録したとしても、そのエッジ位置の変位規則がわからない限り、通常のジッタと区別することが不可能であり、発見困難で不正な複製が困難な情報として、第１の副情報を記録することが可能となる。
【０３９０】
次に、本実施の形態４において、第２の副情報を記録する第２の副情報記録装置についてさらに詳細に説明する。
【０３９１】
図２７は、本発明の実施の形態４における第２の副情報記録装置の構成を示すブロック図である。図２７に示す第２の副情報記録装置は、主情報が記録されたスタンパから転写して作成した光ディスク３００に対して第２の副情報を追記する。なお、第２の副情報記録装置は、図２２に示す情報記録装置４３に相当する。
【０３９２】
第２の副情報記録装置は、光学ヘッド３２１、再生部３２２、デジタル信号処理器３２３、フォーマッタ３２４、タイミング生成器３２５、擬似乱数系列発生器３２６、ＥＯＲ演算部３２７、ＰＥ変調器３２８、レーザ強度制御部３２９及び記録部３３０を備える。なお、スクランブル部３３１は、擬似乱数系列発生器３２６、ＥＯＲ演算部３２７及びＰＥ変調器３２８で構成される。
【０３９３】
光学ヘッド３２１は、光ピックアップであり、回転する光ディスク３００上の凹凸記録マークに光ビームを集光し、凹凸記録マークからの反射光に基づいて、被変調凹凸記録マークのエッジ位置を示すアナログ再生信号を生成して、再生部３２２に出力する。
【０３９４】
再生部３２２は、光学ヘッド３２１から入力されるアナログ再生信号を波形等化したり整形したりすることによってデジタル再生信号に変換して、デジタル信号処理器３２３に出力する。
【０３９５】
デジタル信号処理器３２３は、再生部３２２から入力されるデジタル再生信号に同期するクロック信号を抽出し、抽出したクロック信号に同期した再生信号を生成して、フォーマッタ３２４に出力する。
【０３９６】
フォーマッタ３２４は、変調されている再生信号を復調して、所定単位（セクタ）毎に付与されているアドレス情報を検出する。検出されたアドレス情報はタイミング生成器３２５に出力される。
【０３９７】
タイミング生成器３２５は、フォーマッタ３２４から入力されるアドレス情報に基づいて、第２の副情報を記録するためのタイミング信号を生成して、擬似乱数系列発生器３２６に出力する。
【０３９８】
擬似乱数系列発生器３２６は、一般的なシフトレジスタで構成されるＭ系列生成器である。擬似乱数系列発生器３２６は、タイミング生成器３２５から入力されるタイミング信号に基づいて、副情報管理情報に含まれるスクランブル初期値をプリセットして擬似乱数系列を発生させて、ＥＯＲ演算部３２７に出力する。
【０３９９】
また、擬似乱数系列発生器３２６は、タイミング生成器３２５から入力されるタイミング信号に基づいて、ディスク識別情報を初期値としてプリセットして擬似乱数系列を発生させて、ＥＯＲ演算部３２７に出力する。
【０４００】
ＥＯＲ演算部３２７は、一般的な排他的論理和ゲートである。ＥＯＲ演算部３２７は、擬似乱数系列発生器３２６から入力される擬似乱数系列と、第２の副情報として記録するディスク識別情報との排他的論理和を算出して、ＰＥ変調器３２８に出力する。
【０４０１】
また、ＥＯＲ演算部３２７は、擬似乱数系列発生器３２６から入力される擬似乱数系列と、第２の副情報として記録するスタンパ固有情報との排他的論理和を算出して、ＰＥ変調器３２８に出力する。
【０４０２】
ＰＥ変調器３２８は、ＥＯＲ演算部３２７からの出力信号に対してＰＥ（Ｐｈａｓｅ  Ｅｎｃｏｄｅ）変調を行い、ＰＥ変調した信号をレーザ強度制御部３２９に出力する。
【０４０３】
レーザ強度制御部３２９は、ＰＥ変調器３２８によってＰＥ変調された信号に基づいて、レーザ照射のタイミングを制御する記録パルスを生成する。
【０４０４】
記録部３３０は、レーザ強度制御部３２９から入力される記録パルスに基づいて、光学ヘッド３２１のレーザ光源から出射されるレーザ光の強度と出射タイミングとを制御する。光学ヘッド３２１は、光ディスク３００にレーザ光を照射し、凹凸記録マーク上の反射膜の反射率を変化させることによって、スクランブルしたディスク識別情報及びスタンパ固有情報をそれぞれ第２の副情報として追記する。
【０４０５】
次に、本実施の形態４において、第１の副情報を記録する第１の副情報記録装置についてさらに詳細に説明する。
【０４０６】
図２８は、本発明の実施の形態４における第１の副情報記録装置の構成を示すブロック図である。図２８に示す第１の副情報記録装置は、主情報とともに第１の副情報をスタンパ（光ディスク原盤）に記録する。なお、第１の副情報記録装置は、図２２に示すマスタリング装置４２の一部（スクランブル部４９及び第１の副情報記録部５０）に相当する。
【０４０７】
第１の副情報記録装置は、光学ヘッド３２１、フォーマッタ３４１、タイミング生成器３４２、擬似乱数系列発生器３４３、ＥＯＲ演算部３４４、ＰＥ変調器３４５、位相変調部３４６及び記録部３４７を備える。なお、スクランブル部３４８は、擬似乱数系列発生器３４３、ＥＯＲ演算部３４４及びＰＥ変調器３４５で構成される。
【０４０８】
フォーマッタ３４１は、記録する主情報を変調し、所定単位（セクタ）毎にアドレス情報を付与して記録信号を生成する。付与されたアドレス情報は、タイミング生成器３４２に出力される。
【０４０９】
タイミング生成器３４２は、フォーマッタ３４１から入力されるアドレス情報に基づいて、第１の副情報を記録するためのタイミング信号を生成して、擬似乱数系列発生器３４３に出力する。
【０４１０】
擬似乱数系列発生器３４３は、一般的なシフトレジスタで構成されるＭ系列生成器である。擬似乱数系列発生器３４３は、タイミング生成器３４２から入力されるタイミング信号に基づいて、スタンパ固有情報を初期値としてプリセットして擬似乱数系列を発生させて、ＥＯＲ演算部３４４に出力する。
【０４１１】
ＥＯＲ演算部３４４は、一般的な排他的論理和ゲートである。ＥＯＲ演算部３４４は、擬似乱数系列発生器３４３から入力される擬似乱数系列と、第１の副情報として記録する暗号鍵情報との排他的論理和を算出して、ＰＥ変調器３４５に出力する。
【０４１２】
ＰＥ変調器３４５は、ＥＯＲ演算部３４４からの出力信号に対してＰＥ変調を行い、ＰＥ変調した信号を位相変調部３４６に出力する。
【０４１３】
位相変調部３４６は、フォーマッタ３４１によって生成された記録信号に応じて、レーザ照射のタイミングを制御する記録パルスを生成する。また、位相変調部３４６は、ＰＥ変調器３４５によってＰＥ変調された信号に従って、記録パルスの位相変調を行い、凹凸記録マークエッジを進ませたり（又は遅らせたり）する制御を行う。
【０４１４】
記録部３４７は、位相変調部３４６によって生成された記録パルスに基づいて、光学ヘッド３２１のレーザ光源から出射されるレーザ光の強度と出射タイミングとを制御する。
【０４１５】
光学ヘッド３２１は、記録部３４７から入力される制御信号に基づいて、光ディスク原盤にレーザ光を照射し、主情報と第１の副情報とを記録する。
【０４１６】
次に、本実施の形態４において、第２の副情報を再生する第２の副情報再生装置についてさらに詳細に説明する。
【０４１７】
図２９は、本発明の実施の形態４における第２の副情報再生装置の構成を示すブロック図である。図２９に示す第２の副情報再生装置は、凹凸記録マーク上の反射膜の反射率を変動させることによって記録されている第２の副情報を再生する。なお、第２の副情報再生装置は、図２２に示す情報再生装置４４の一部（媒体識別情報再生部５７、デスクランブル部５８、媒体固有情報再生部５９及びデスクランブル部６０）に相当する。
【０４１８】
第２の副情報再生装置は、光学ヘッド３２１、再生部３５１、デジタル信号処理器３５２、反射率変動検出部３５３、フォーマッタ３５４、タイミング生成器３５５、擬似乱数系列発生器３５６、ＰＥ変調器３５７及び相関積分部３５８を備える。なお、デスクランブル部３５９は、擬似乱数系列発生器３５６、ＰＥ変調器３５７及び相関積分部３５８で構成される。
【０４１９】
光学ヘッド３２１は、光ピックアップであり、回転する光ディスク３００上の凹凸記録マークに光ビームを集光し、凹凸記録マークからの反射光に基づいて、被変調凹凸記録マークのエッジ位置を示すアナログ再生信号を生成して、再生部３５１に出力する。
【０４２０】
再生部３５１は、光学ヘッド３２１から入力されるアナログ再生信号を波形等化したり整形したりすることによってデジタル再生信号に変換して、デジタル信号処理器３５２に出力する。
【０４２１】
デジタル信号処理器３５２は、再生部３５１から入力されるデジタル再生信号に同期するクロック信号を抽出し、抽出したクロック信号に同期した再生信号を生成して、フォーマッタ３５４に出力する。
【０４２２】
フォーマッタ３５４は、変調されている再生信号を復調して、所定単位（セクタ）毎に付与されているアドレス情報を検出する。検出されたアドレス情報はタイミング生成器３５５に出力される。
【０４２３】
タイミング生成器３５５は、フォーマッタ３５４から入力されるアドレス情報に基づいて、第２の副情報を再生するためのタイミング信号を生成して、擬似乱数系列発生器３５６に出力する。
【０４２４】
擬似乱数系列発生器３５６は、一般的なシフトレジスタで構成されるＭ系列生成器である。擬似乱数系列発生器３５６は、タイミング生成器３５５から入力されるタイミング信号に基づいて、副情報管理情報に含まれるスクランブル初期値をプリセットして擬似乱数系列を発生させて、ＰＥ変調器３５７に出力する。
【０４２５】
また、擬似乱数系列発生器３５６は、タイミング生成器３５５から入力されるタイミング信号に基づいて、ディスク識別情報を初期値としてプリセットして擬似乱数系列を発生させて、ＰＥ変調器３５７に出力する。
【０４２６】
ＰＥ変調器３５７は、擬似乱数系列発生器３５６から入力される擬似乱数系列に対してＰＥ変調を行い、ＰＥ変調した信号を相関積分部３５８に出力する。
【０４２７】
反射率変動検出部３５３は、デジタル信号処理器３５２からデジタル再生信号が入力され、第２の副情報の記録帯域の信号を抽出可能な低域通過フィルタで構成される。反射率変動検出部３５３は、凹凸記録マークのデジタル再生信号をフィルタリングすることによって、反射膜の反射率を変動させることによって記録されている第２の副情報を抽出して、相関積分部３５８に出力する。
【０４２８】
相関積分部３５８は、反射率変動検出部３５３によってフィルタリングされたデジタル再生信号と、ＰＥ変調器３５７によってＰＥ変調された擬似乱数系列との相関を積分する。具体的には、相関積分部３５８は、アップダウンカウンタで構成される。相関積分部３５８は、フィルタリングしたデジタル再生信号と、ＰＥ変調された擬似乱数系列とが互いに“正”ならばカウンタを１だけインクリメントし、フィルタリングしたデジタル再生信号と、ＰＥ変調された擬似乱数系列とが互いに“負”ならばカウンタを１だけデクリメントする。したがって、フィルタリングしたデジタル再生信号と、ＰＥ変調された擬似乱数系列とに正の相関関係があれば、カウンタは単調増加し、負の相関関係があれば、カウンタは単調減少する。相関積分部３５８は、第２の副情報のビット記録区間で繰り返し判定することによって得られるビット列をスタンパ固有情報として検出して、後述する第１の副情報再生装置に出力する。
【０４２９】
また、相関積分部３５８は、第２の副情報のビット記録区間で繰り返し判定することによって得られるビット列をディスク識別情報として検出して、擬似乱数系列発生器３５６に出力する。
【０４３０】
次に、本実施の形態４において、第１の副情報を再生する第１の副情報再生装置についてさらに詳細に説明する。
【０４３１】
図３０は、本発明の実施の形態４における第１の副情報再生装置の構成を示すブロック図である。図３０に示す第１の副情報再生装置は、第２の副情報再生装置で再生されたスタンパ固有情報に基づいて、凹凸記録マークエッジの位相変調によって記録されている第１の副情報を再生する。なお、第１の副情報再生装置は、図２２に示す情報再生装置４４の一部（第１の副情報再生部６１及びデスクランブル部６２）に相当する。
【０４３２】
第１の副情報再生装置は、光学ヘッド３２１、再生部３６１、デジタル信号処理器３６２、エッジ位相検出部３６３、フォーマッタ３６４、タイミング生成器３６５、擬似乱数系列発生器３６６、ＰＥ変調器３６７及び相関積分部３６８を備える。なお、デスクランブル部３６９は、擬似乱数系列発生器３６６、ＰＥ変調器３６７及び相関積分部３６８で構成される。
【０４３３】
光学ヘッド３２１は、光ピックアップであり、回転する光ディスク３００上の凹凸記録マークに光ビームを集光し、凹凸記録マークからの反射光に基づいて、被変調凹凸記録マークのエッジ位置を示すアナログ再生信号を生成して、再生部３６１に出力する。
【０４３４】
再生部３６１は、光学ヘッド３２１から入力されるアナログ再生信号を波形等化したり整形したりすることによってデジタル再生信号に変換して、デジタル信号処理器３６２に出力する。
【０４３５】
デジタル信号処理器３６２は、再生部３６１から入力されるデジタル再生信号に同期するクロック信号を抽出し、抽出したクロック信号に同期した再生信号を生成して、フォーマッタ３６４に出力する。
【０４３６】
フォーマッタ３６４は、変調されている再生信号を復調して、所定単位（セクタ）毎に付与されているアドレス情報を検出する。検出されたアドレス情報はタイミング生成器３６５に出力される。
【０４３７】
タイミング生成器３６５は、フォーマッタ３６４から入力されるアドレス情報に基づいて、第２の副情報を再生するためのタイミング信号を生成して、擬似乱数系列発生器３６６に出力する。
【０４３８】
擬似乱数系列発生器３６６は、一般的なシフトレジスタで構成されるＭ系列生成器である。擬似乱数系列発生器３６６は、タイミング生成器３６５から入力されるタイミング信号に基づいて、第２の副情報再生装置で再生されたスタンパ固有情報を初期値としてプリセットして擬似乱数系列を発生させて、ＰＥ変調器３６７に出力する。
【０４３９】
ＰＥ変調器３６７は、擬似乱数系列発生器３６６から入力される擬似乱数系列に対してＰＥ変調を行い、ＰＥ変調した信号を相関積分部３６８に出力する。
【０４４０】
エッジ位相検出部３６３は、デジタル信号処理器３６２によって抽出されたクロック信号を基準として、凹凸記録マークエッジの進み又は遅れを示すエッジ位相信号を生成して、相関積分部３６８に出力する。
【０４４１】
相関積分部３６８は、エッジ位相検出部３６３によって生成されたエッジ位相信号と、ＰＥ変調器３６７によってＰＥ変調された擬似乱数系列との相関を積分する。具体的には、相関積分部３６８は、アップダウンカウンタで構成される。相関積分部３６８は、エッジ位相検出部３６３によって生成されたエッジ位相信号と、ＰＥ変調器３６７によってＰＥ変調された擬似乱数系列とが互いに“正”ならばカウンタを１だけインクリメントし、生成されたエッジ位相信号と、ＰＥ変調された擬似乱数系列とが互いに“負”ならばカウンタを１だけデクリメントする。したがって、エッジ位相検出部３６３によって生成されたエッジ位相信号と、ＰＥ変調器３６７によってＰＥ変調された擬似乱数系列とに正の相関関係があれば、カウンタは単調増加し、負の相関関係があれば、カウンタは単調減少する。相関積分部３６８は、エッジ位相信号と擬似乱数系列との相関関係を、第２の副情報のビット記録区間で繰り返し判定することによって得られるビット列を、コンテンツ情報を復号化するための暗号鍵情報として検出する。暗号化されたコンテンツ情報は、相関積分部３６８によって検出された暗号鍵情報を用いて復号化されて、再生される。
【０４４２】
なお、本実施の形態４における第２の副情報再生装置と第１の副情報再生装置との違いは、反射率変動検出部３５３を持つか、エッジ位相検出部３６３を持つかである。そのため、第２の副情報再生装置と第１の副情報再生装置とをともに同一装置内に実装し、第２の副情報と第１の副情報とを同一の装置から再生することが望ましい。
【０４４３】
なお、上述した具体的実施形態には以下の構成を有する発明が主に含まれている。
【０４４４】
本発明の一局面に係る情報記録装置は、スタンパを用いて作成される情報記録媒体に情報を記録する情報記録装置であって、主情報と、前記スタンパ固有情報に基づいて、主情報を再生するために必要な再生許可情報をデータ変換した第１の副情報とが予め記録されている前記情報記録媒体毎に異なる媒体固有情報に基づいて、スタンパ毎に共通なスタンパ固有情報をデータ変換することにより第２の副情報を生成する第２の副情報生成部と、前記主情報及び前記第１の副情報とは異なる形態で、前記第２の副情報生成部によって生成された前記第２の副情報を前記情報記録媒体に記録する第２の副情報記録部とを備える。
【０４４５】
この構成によれば、主情報と、スタンパ固有情報に基づいて、主情報を再生するために必要な再生許可情報をデータ変換した第１の副情報とが予め記録されている情報記録媒体毎に異なる媒体固有情報に基づいて、スタンパ毎に共通なスタンパ固有情報をデータ変換することにより第２の副情報が生成される。そして、主情報及び第１の副情報とは異なる形態で、生成された第２の副情報が情報記録媒体に記録される。
【０４４６】
したがって、情報記録媒体毎に異なる第２の副情報が再生されなければ、主情報を再生することができないので、主情報の著作権を確実に保護することができる。また、同一のスタンパから転写された情報記録媒体であっても、情報記録媒体毎に異なる第２の副情報を読み出す必要があり、情報記録媒体毎に共通の情報を読み出す場合に比べて、情報記録媒体の不正な解析が困難となり、記録されている主情報への不正なアクセスを防止することができる。
【０４４７】
また、上記の情報記録装置において、前記情報記録媒体は、前記主情報に従って形成された凹凸記録マークと、前記凹凸記録マーク上に形成された反射膜とを含み、前記第２の副情報記録部は、前記凹凸記録マークの最長マークよりも長い間隔でレーザ光を照射し、前記反射膜の反射率を変化させることによって前記第２の副情報を前記情報記録媒体に記録することが好ましい。
【０４４８】
この構成によれば、情報記録媒体は、主情報に従って形成された凹凸記録マークと、凹凸記録マーク上に形成された反射膜とを含む。凹凸記録マークの最長マークよりも長い間隔でレーザ光を照射し、反射膜の反射率を変化させることによって第２の副情報が情報記録媒体に記録される。
【０４４９】
したがって、主情報の読み取り精度を悪化させることなく、第２の副情報を記録することができ、情報記録媒体の不正な複製を防止することができる。
【０４５０】
また、上記の情報記録装置において、前記媒体固有情報は、前記情報記録媒体を識別するための媒体識別情報を含み、前記情報記録媒体にレーザ光を照射し、前記反射膜の反射率を変化させることによって前記媒体識別情報を前記情報記録媒体に記録する媒体識別情報記録部をさらに備えることが好ましい。
【０４５１】
この構成によれば、媒体固有情報は、情報記録媒体を識別するための媒体識別情報を含み、情報記録媒体にレーザ光が照射され、反射膜の反射率を変化させることによって媒体識別情報が情報記録媒体に記録される。
【０４５２】
したがって、情報記録媒体を識別するための媒体識別情報に基づいてスタンパ固有情報をデータ変換することができ、媒体識別情報が得られなければ、スタンパ固有情報を得ることができず、主情報を再生することができないので、主情報の著作権を確実に保護することができる。また、主情報の読み取り精度を悪化させることなく、媒体識別情報を記録することができ、情報記録媒体の不正な複製を防止することができる。
【０４５３】
また、上記の情報記録装置において、前記第２の副情報生成部は、前記媒体固有情報を暗号鍵として、前記スタンパ固有情報を暗号化することにより第２の副情報を生成することが好ましい。
【０４５４】
この構成によれば、媒体固有情報を暗号鍵として、スタンパ固有情報が暗号化されることにより第２の副情報が生成されるので、スタンパ固有情報の秘匿性を確保することができる。
【０４５５】
本発明の他の局面に係る情報再生装置は、スタンパを用いて作成される情報記録媒体から情報を再生する情報再生装置であって、主情報を再生する主情報再生部と、スタンパ毎に共通なスタンパ固有情報に基づいて、前記主情報を再生するために必要な再生許可情報をデータ変換した第１の副情報を再生する第１の副情報再生部と、前記情報記録媒体毎に異なる媒体固有情報に基づいて、前記スタンパ固有情報をデータ変換した第２の副情報を再生する第２の副情報再生部と、前記媒体固有情報に基づいて、前記第２の副情報再生部によって再生された前記第２の副情報をデータ変換することにより、前記スタンパ固有情報を生成するスタンパ固有情報生成部と、前記スタンパ固有情報生成部によって生成された前記スタンパ固有情報に基づいて、前記第１の副情報再生部によって再生された前記第１の副情報をデータ変換することにより、前記再生許可情報を抽出する再生許可情報抽出部とを備える。
【０４５６】
この構成によれば、主情報が再生され、スタンパ毎に共通なスタンパ固有情報に基づいて、主情報を再生するために必要な再生許可情報をデータ変換した第１の副情報が再生される。また、情報記録媒体毎に異なる媒体固有情報に基づいて、スタンパ固有情報をデータ変換した第２の副情報が再生される。そして、媒体固有情報に基づいて、再生された第２の副情報がデータ変換されることにより、スタンパ固有情報が生成され、生成されたスタンパ固有情報に基づいて、再生された第１の副情報がデータ変換されることにより、再生許可情報が抽出される。
【０４５７】
したがって、情報記録媒体毎に異なる第２の副情報が再生されなければ、主情報を再生することができないので、主情報の著作権を確実に保護することができる。また、同一のスタンパから転写された情報記録媒体であっても、情報記録媒体毎に異なる第２の副情報を読み出す必要があり、情報記録媒体毎に共通の情報を読み出す場合に比べて、情報記録媒体の不正な解析が困難となり、記録されている主情報への不正なアクセスを防止することができる。
【０４５８】
また、上記の情報再生装置において、前記情報記録媒体は、前記主情報に従って形成された凹凸記録マークと、前記凹凸記録マーク上に形成された反射膜とを含み、前記主情報再生部は、前記情報記録媒体に形成された前記凹凸記録マークにレーザ光を照射し、前記凹凸記録マークからの反射光に基づいて前記主情報を再生し、前記第２の副情報再生部は、前記反射膜からの反射光の強度変化を検出することによって、前記第２の副情報を再生することが好ましい。
【０４５９】
この構成によれば、情報記録媒体は、主情報に従って形成された凹凸記録マークと、凹凸記録マーク上に形成された反射膜とを含む。そして、情報記録媒体に形成された凹凸記録マークにレーザ光が照射され、凹凸記録マークからの反射光に基づいて主情報が再生される。また、反射膜からの反射光の強度変化を検出することによって、第２の副情報が再生される。
【０４６０】
したがって、主情報の読み取り精度を悪化させることなく、第２の副情報を記録することができ、情報記録媒体の不正な複製を防止することができる。
【０４６１】
また、上記の情報再生装置において、前記第１の副情報再生部は、前記凹凸記録マークからの前記反射光に基づいて、前記凹凸記録マークの変位、前記凹凸記録マークの変形、及び前記凹凸記録マークにより所定パターンで記録されるデータの前記パターンの改変のうちの少なくとも１つを検出することによって、前記第１の副情報を再生することが好ましい。
【０４６２】
この構成によれば、凹凸記録マークからの反射光に基づいて、凹凸記録マークの変位、凹凸記録マークの変形、及び凹凸記録マークにより所定パターンで記録されるデータのパターンの改変のうちの少なくとも１つが検出されることによって、第１の副情報が再生される。したがって、第１の副情報を容易に複製することが困難となり、情報記録媒体の不正な複製を防止することができる。
【０４６３】
また、上記の情報再生装置において、前記媒体固有情報は、前記情報記録媒体を識別するための媒体識別情報を含み、前記情報記録媒体にレーザ光を照射し、前記媒体識別情報を再生する媒体識別情報再生部をさらに備え、前記スタンパ固有情報生成部は、前記第２の副情報再生部によって再生された前記第２の副情報を、前記媒体識別情報再生部によって再生された前記媒体識別情報に基づいてデータ変換することにより、前記スタンパ固有情報を生成することが好ましい。
【０４６４】
この構成によれば、媒体固有情報は、情報記録媒体を識別するための媒体識別情報を含み、情報記録媒体にレーザ光が照射され、媒体識別情報が再生される。そして、再生された第２の副情報が、再生された媒体識別情報に基づいてデータ変換されることにより、スタンパ固有情報が生成される。
【０４６５】
したがって、情報記録媒体を識別するための媒体識別情報に基づいて第２の副情報をデータ変換することができ、媒体識別情報が得られなければ、スタンパ固有情報を得ることができず、主情報を再生することができないので、主情報の著作権を確実に保護することができる。
【０４６６】
また、上記の情報再生装置において、前記媒体識別情報再生部は、前記凹凸記録マークの記録帯域とは異なる前記反射膜からの反射光の強度変化を検出することによって、前記媒体識別情報を再生することが好ましい。
【０４６７】
この構成によれば、凹凸記録マークの記録帯域とは異なる反射膜からの反射光の強度変化が検出されることによって、媒体識別情報が再生される。したがって、主情報の読み取り精度を悪化させることなく、媒体識別情報を記録することができ、情報記録媒体の不正な複製を防止することができる。
【０４６８】
また、上記の情報再生装置において、前記スタンパ固有情報生成部は、前記媒体固有情報を暗号鍵として、前記第２の副情報を復号化することにより、前記スタンパ固有情報を生成し、前記再生許可情報抽出部は、前記スタンパ固有情報生成部によって生成された前記スタンパ固有情報に基づいて、スクランブルされている前記第１の副情報をデスクランブルすることにより、前記再生許可情報を抽出することが好ましい。
【０４６９】
この構成によれば、媒体固有情報を暗号鍵として、第２の副情報が復号化されることにより、スタンパ固有情報が生成される。また、生成されたスタンパ固有情報に基づいて、スクランブルされている第１の副情報がデスクランブルされることにより、再生許可情報が抽出される。したがって、スタンパ固有情報及び再生許可情報の秘匿性を確保することができる。
【０４７０】
本発明の他の局面に係る情報記録媒体は、主情報を記録する主情報記録領域と、スタンパ毎に共通なスタンパ固有情報に基づいて、前記主情報を再生するために必要な再生許可情報をデータ変換した第１の副情報を記録する第１の副情報記録領域と、情報記録媒体毎に異なる媒体固有情報に基づいて、前記スタンパ固有情報をデータ変換した第２の副情報を記録する第２の副情報記録領域とを備え、前記主情報と前記第１の副情報とが記録されたスタンパから、前記主情報と前記第１の副情報とが前記情報記録媒体に転写されるとともに、前記第２の副情報が前記情報記録媒体に記録される。
【０４７１】
この構成によれば、主情報記録領域には、主情報が記録され、第１の副情報記録領域には、スタンパ毎に共通なスタンパ固有情報に基づいて、主情報を再生するために必要な再生許可情報をデータ変換した第１の副情報が記録され、第２の副情報記録領域には、情報記録媒体毎に異なる媒体固有情報に基づいて、スタンパ固有情報をデータ変換した第２の副情報が記録されている。そして、主情報と第１の副情報とが記録されたスタンパから、主情報と第１の副情報とが情報記録媒体に転写されるとともに、第２の副情報が情報記録媒体に記録される。
【０４７２】
したがって、情報記録媒体毎に異なる第２の副情報が再生されなければ、主情報を再生することができないので、主情報の著作権を確実に保護することができる。また、同一のスタンパから転写された情報記録媒体であっても、情報記録媒体毎に異なる第２の副情報を読み出す必要があり、情報記録媒体毎に共通の情報を読み出す場合に比べて、情報記録媒体の不正な解析が困難となり、記録されている主情報への不正なアクセスを防止することができる。
【０４７３】
また、上記の情報記録媒体において、前記第１の副情報記録領域は、前記主情報とは異なる形態で前記第１の副情報を記録しており、前記第２の副情報記録領域は、前記主情報及び前記第１の副情報とは異なる形態で前記第２の副情報を記録していることが好ましい。
【０４７４】
この構成によれば、第１の副情報記録領域には、主情報とは異なる形態で第１の副情報が記録されており、第２の副情報記録領域には、主情報及び第１の副情報とは異なる形態で第２の副情報が記録されている。
【０４７５】
したがって、主情報と第１の副情報と第２の副情報とはそれぞれ異なる形態で記録されているので、主情報と第１の副情報と第２の副情報とを容易に再生することが困難となり、情報記録媒体の不正な複製を防止することができる。
【０４７６】
また、上記の情報記録媒体において、前記情報記録媒体は、前記主情報に従って形成された凹凸記録マークと、前記凹凸記録マーク上に形成された反射膜とを含み、前記第１の副情報記録領域は、前記凹凸記録マークの変位、前記凹凸記録マークの変形、及び前記凹凸記録マークにより所定パターンで記録されるデータの前記パターンの改変のうちの少なくとも１つによって前記第１の副情報を記録しており、前記第２の副情報記録領域は、前記反射膜の反射率を変化させることによって前記第２の副情報を記録していることが好ましい。
【０４７７】
この構成によれば、情報記録媒体は、主情報に従って形成された凹凸記録マークと、凹凸記録マーク上に形成された反射膜とを含む。第１の副情報記録領域には、凹凸記録マークの変位、凹凸記録マークの変形、及び凹凸記録マークにより所定パターンで記録されるデータのパターンの改変のうちの少なくとも１つによって第１の副情報が記録されている。また、第２の副情報記録領域には、反射膜の反射率を変化させることによって第２の副情報が記録されている。したがって、主情報の読み取り精度を悪化させることなく、第１の副情報及び第２の副情報を記録することができ、情報記録媒体の不正な複製を防止することができる。
【０４７８】
また、上記の情報記録媒体において、前記媒体固有情報は、前記情報記録媒体を識別するための媒体識別情報を含み、前記媒体識別情報を記録する媒体識別情報記録領域をさらに備え、前記第２の副情報記録領域は、前記スタンパ固有情報を、前記媒体識別情報に基づいてデータ変換した第２の副情報を記録することが好ましい。
【０４７９】
この構成によれば、媒体固有情報は、情報記録媒体を識別するための媒体識別情報を含み、媒体識別情報記録領域には、媒体識別情報が記録される。そして、第２の副情報記録領域には、スタンパ固有情報を、媒体識別情報に基づいてデータ変換した第２の副情報が記録される。
【０４８０】
したがって、情報記録媒体を識別するための媒体識別情報に基づいてスタンパ固有情報をデータ変換することができ、媒体識別情報が得られなければ、スタンパ固有情報を得ることができず、主情報を再生することができないので、主情報の著作権を確実に保護することができる。
【０４８１】
また、上記の情報記録媒体において、前記媒体識別情報記録領域は、前記情報記録媒体にレーザ光が照射され、前記反射膜の反射率を変化させることによって前記媒体識別情報を記録していることが好ましい。
【０４８２】
この構成によれば、媒体識別情報記録領域には、情報記録媒体にレーザ光が照射され、反射膜の反射率を変化させることによって媒体識別情報が記録されているので、主情報の読み取り精度を悪化させることなく、媒体識別情報を記録することができ、情報記録媒体の不正な複製を防止することができる。
【０４８３】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０４８４】
本発明に係る情報記録装置、情報再生装置及び情報記録媒体は、たとえ、情報記録媒体がスタンパから転写複製されることにより作成される情報記録媒体であったとしても、情報記録媒体毎に異なる第２の副情報を再生しなければコンテンツ情報が再生できないシステムを構築することができ、著作権を保護する機能を有するデジタル著作物の流通媒体として極めて有用である。
【図１】
0005468555.tif 000002
【図２】
0005468555.tif 000003
【図３】
0005468555.tif 000004
【図４】
0005468555.tif 000005
【図５】
0005468555.tif 000006
【図６】
0005468555.tif 000007
【図７】
0005468555.tif 000008
【図８】
0005468555.tif 000009
【図９】
0005468555.tif 000010
【図１０】
0005468555.tif 000011
【図１１】
0005468555.tif 000012
【図１２】
0005468555.tif 000013
【図１３】
0005468555.tif 000014
【図１４】
0005468555.tif 000015
【図１５】
0005468555.tif 000016
【図１６】
0005468555.tif 000017
【図１７】
0005468555.tif 000018
【図１８】
0005468555.tif 000019
【図１９】
0005468555.tif 000020
【図２０】
0005468555.tif 000021
【図２１】
0005468555.tif 000022
【図２２】
0005468555.tif 000023
【図２３】
0005468555.tif 000024
【図２４】
0005468555.tif 000025
【図２５】
0005468555.tif 000026
【図２６】
0005468555.tif 000027
【図２７】
0005468555.tif 000028
【図２８】
0005468555.tif 000029
【図２９】
0005468555.tif 000030
【図３０】
0005468555.tif 000031
【図３１】
0005468555.tif 000032